(57)【要約】  いくつかの実施形態によれば、無線デバイスによって実施される方法は、通信サービスに対応する指示を受信することと、受信された指示に基づいて、変調符号化方式（ＭＣＳ）テーブル、および／またはチャネル品質インジケータ（ＣＱＩ）テーブルを、複数の規定されたＭＣＳおよび／またはＣＱＩテーブルから識別することとを含む。いくつかの実施形態によれば、ネットワークノードによって実施される方法は、無線デバイスに関連する通信サービスを決定することと、通信サービスに対応する指示を無線デバイスに送ることとを含む。その指示は、無線デバイスが、ＭＣＳおよび／またはＣＱＩテーブルを、複数の規定されたＭＣＳおよび／またはＣＱＩテーブルから識別することを可能にする。【選択図】図１３ａ
2021503852.tif 000002
【特許請求の範囲】
【請求項１】
無線デバイスによって実施される方法であって、前記方法が、
通信サービスに対応する指示を受信すること（１２）と、
前記受信された指示に基づいて、変調符号化方式（ＭＣＳ）テーブル、および／またはチャネル品質インジケータ（ＣＱＩ）テーブルを、複数の規定されたＭＣＳおよび／またはＣＱＩテーブルから識別すること（１４）と
を含む、方法。
【請求項２】
前記通信サービスが、高信頼性要件および／または低レイテンシ要件を伴うサービスに対応する、請求項１に記載の方法。
【請求項３】
前記受信された指示が、設定されたモードを含む、請求項１または２に記載の方法。
【請求項４】
前記設定されたモードが、
低いターゲットブロック誤り率（ＢＬＥＲ）を有するモード、
高信頼性要件を有するモード、および／または
低レイテンシ要件を有するモード
に対応する、請求項３に記載の方法。
【請求項５】
ターゲットＢＬＥＲが、ｇＮｂまたはＨＡＲＱ関係パラメータおよび／あるいはＵＥ能力に従って、すべての可能なＢＬＥＲオペレーショナルレベルから前記無線デバイスによって暗黙的に選択される、請求項１から４のいずれか一項に記載の方法。
【請求項６】
前記無線デバイスの能力を指示する情報をネットワークに送ること（１０）であって、前記指示された能力が、前記無線デバイスのターゲットＢＬＥＲ能力、ＭＣＳテーブル能力、および／またはＣＱＩテーブル能力を含む、情報をネットワークに送ること（１０）
をさらに含む、請求項１から５のいずれか一項に記載の方法。
【請求項７】
前記能力が、サービス能力に基づいて暗黙的に指示される、請求項６に記載の方法。
【請求項８】
前記能力が、前記ネットワークへの明示的シグナリングを使用して指示される、請求項６に記載の方法。
【請求項９】
ターゲットＢＬＥＲが、前記通信サービスに対応する前記指示を受信したことに基づいて前記無線デバイスによって取得され、前記ＭＣＳおよび／またはＣＱＩテーブルが、前記ターゲットＢＬＥＲに基づいて識別される、請求項１から８のいずれか一項に記載の方法。
【請求項１０】
前記通信サービスに対応する前記指示が、無線リソース制御シグナリングを介して受信される、請求項１から９のいずれか一項に記載の方法。
【請求項１１】
前記識別されたテーブルがＭＣＳテーブルであり、前記方法が、
前記識別されたテーブルから変調符号化方式を選択すること（１６ａ）
をさらに含む、請求項１から１０のいずれか一項に記載の方法。
【請求項１２】
前記識別されたテーブルがＣＱＩテーブルであり、前記方法が、
前記識別されたテーブルからチャネル品質指示を選択すること（１６ｂ）
をさらに含む、請求項１から１１のいずれか一項に記載の方法。
【請求項１３】
前記複数のＭＣＳおよび／またはＣＱＩテーブルのうちの第１のＭＣＳおよび／または第１のＣＱＩテーブルが、第１のＢＬＥＲに対応し、前記複数のＭＣＳおよび／またはＣＱＩテーブルのうちの第２のＭＣＳおよび／または第２のＣＱＩテーブルが、第２のＢＬＥＲに対応し、前記第１のＢＬＥＲが前記第２のＢＬＥＲとは異なる、請求項１から１２のいずれか一項に記載の方法。
【請求項１４】
前記ＭＣＳおよび／またはＣＱＩテーブルを識別することは、前記無線デバイスが、低いターゲットＢＬＥＲを有するあらかじめ規定されたモードに従って設定されたとき、１つのＣＱＩテーブルのみを使用することを決定することを含む、請求項１から１３のいずれか一項に記載の方法。
【請求項１５】
前記通信サービスに対応する前記指示が、ダウンリンク制御情報（ＤＣＩ）を介して受信される、請求項１から９または１１から１４のいずれか一項に記載の方法。
【請求項１６】
前記ＭＣＳおよび／またはＣＱＩテーブルを識別することが、少なくとも１つのＭＣＳテーブルと少なくとも１つのＣＱＩテーブルとを、ＤＣＩ中の同じビットフィールドに基づいて識別することを含む、請求項１５に記載の方法。
【請求項１７】
前記ＭＣＳおよび／またはＣＱＩテーブルを識別することが、少なくとも１つのＭＣＳテーブルと少なくとも１つのＣＱＩテーブルとを、ＤＣＩ中の異なるビットフィールドに基づいて識別することを含む、請求項１５に記載の方法。
【請求項１８】
前記ＤＣＩがＤＣＩフォーマットを有し、複数のターゲットＢＬＥＲのうちのどのターゲットＢＬＥＲを使用すべきかが、前記ＤＣＩフォーマットに基づいて決定され、前記ＭＣＳおよび／またはＣＱＩテーブルが、前記ターゲットＢＬＥＲに基づいて識別される、請求項１５から１７のいずれか一項に記載の方法。
【請求項１９】
前記ＭＣＳおよび／またはＣＱＩテーブルを識別することが、第１のターゲットＢＬＥＲに対応するＣＱＩテーブルと、第２のターゲットＢＬＥＲに対応するＭＣＳテーブルとを識別することを含む、請求項１から１８のいずれか一項に記載の方法。
【請求項２０】
前記通信サービス中に、前記識別されたＭＣＳおよび／またはＣＱＩテーブルを使用すること（１８）をさらに含む、請求項１から１９のいずれか一項に記載の方法。
【請求項２１】
無線デバイス（１１０）であって、
−  前記無線デバイスに電力を供給するように設定された電力供給回路要素（１３７）と、
−  処理回路要素（１２０）と
を備え、前記処理回路要素（１２０）が、
通信サービスに対応する指示を受信することと、
前記受信された指示に基づいて、変調符号化方式（ＭＣＳ）テーブル、および／またはチャネル品質インジケータ（ＣＱＩ）テーブルを、複数の規定されたＭＣＳおよび／またはＣＱＩテーブルから識別することと
を行うように設定された、無線デバイス（１１０）。
【請求項２２】
前記通信サービスが、高信頼性要件および／または低レイテンシ要件を伴うサービスに対応する、請求項２１に記載の無線デバイス。
【請求項２３】
前記受信された指示が、設定されたモードを含む、請求項２１または２２に記載の無線デバイス。
【請求項２４】
前記設定されたモードが、
低いターゲットブロック誤り率（ＢＬＥＲ）を有するモード、
高信頼性要件を有するモード、および／または
低レイテンシ要件を有するモード
に対応する、請求項２３に記載の無線デバイス。
【請求項２５】
ターゲットＢＬＥＲが、ｇＮｂまたはＨＡＲＱ関係パラメータおよび／あるいはＵＥ能力に従って、すべての可能なＢＬＥＲオペレーショナルレベルから前記無線デバイスによって暗黙的に選択される、請求項２１から２４のいずれか一項に記載の無線デバイス。
【請求項２６】
前記処理回路要素は、
前記無線デバイスの能力を指示する情報をネットワークに送ることであって、前記指示された能力が、前記無線デバイスのターゲットＢＬＥＲ能力、ＭＣＳテーブル能力、および／またはＣＱＩテーブル能力を含む、情報をネットワークに送ること
を行うようにさらに設定された、請求項２１から２５のいずれか一項に記載の無線デバイス。
【請求項２７】
前記能力が、サービス能力に基づいて暗黙的に指示される、請求項２６に記載の無線デバイス。
【請求項２８】
前記能力が、前記ネットワークへの明示的シグナリングを使用して指示される、請求項２６に記載の無線デバイス。
【請求項２９】
ターゲットＢＬＥＲが、前記通信サービスに対応する前記指示を受信したことに基づいて前記無線デバイスによって取得され、前記ＭＣＳおよび／またはＣＱＩテーブルが、前記ターゲットＢＬＥＲに基づいて識別される、請求項２１から２８のいずれか一項に記載の無線デバイス。
【請求項３０】
前記通信サービスに対応する前記指示が、無線リソース制御シグナリングを介して受信される、請求項２１から２９のいずれか一項に記載の無線デバイス。
【請求項３１】
前記識別されたテーブルがＭＣＳテーブルであり、前記処理回路要素が、
前記識別されたテーブルから変調符号化方式を選択すること
を行うようにさらに設定された、請求項２１から３０のいずれか一項に記載の無線デバイス。
【請求項３２】
前記識別されたテーブルがＣＱＩテーブルであり、前記処理回路要素が、
前記識別されたテーブルからチャネル品質指示を選択すること
を行うようにさらに設定された、請求項２１から３１のいずれか一項に記載の無線デバイス。
【請求項３３】
前記複数のＭＣＳおよび／またはＣＱＩテーブルのうちの第１のＭＣＳおよび／または第１のＣＱＩテーブルが、第１のＢＬＥＲに対応し、前記複数のＭＣＳおよび／またはＣＱＩテーブルのうちの第２のＭＣＳおよび／または第２のＣＱＩテーブルが、第２のＢＬＥＲに対応し、前記第１のＢＬＥＲが前記第２のＢＬＥＲとは異なる、請求項２１から３２のいずれか一項に記載の無線デバイス。
【請求項３４】
前記ＭＣＳおよび／またはＣＱＩテーブルを識別するために、前記処理回路要素は、前記無線デバイスが、低いターゲットＢＬＥＲを有するあらかじめ規定されたモードに従って設定されたとき、１つのＣＱＩテーブルのみを使用することを決定するようにさらに設定された、請求項２１から３３のいずれか一項に記載の無線デバイス。
【請求項３５】
前記通信サービスに対応する前記指示が、ダウンリンク制御情報（ＤＣＩ）を介して受信される、請求項２１から２９または３１から３４のいずれか一項に記載の無線デバイス。
【請求項３６】
前記ＭＣＳおよび／またはＣＱＩテーブルを識別するために、前記処理回路要素が、少なくとも１つのＭＣＳテーブルと少なくとも１つのＣＱＩテーブルとを、ＤＣＩ中の同じビットフィールドに基づいて識別するようにさらに設定された、請求項３５に記載の無線デバイス。
【請求項３７】
前記ＭＣＳおよび／またはＣＱＩテーブルを識別するために、前記処理回路要素が、少なくとも１つのＭＣＳテーブルと少なくとも１つのＣＱＩテーブルとを、ＤＣＩ中の異なるビットフィールドに基づいて識別するようにさらに設定された、請求項３５に記載の無線デバイス。
【請求項３８】
前記ＤＣＩがＤＣＩフォーマットを有し、複数のターゲットＢＬＥＲのうちのどのターゲットＢＬＥＲを使用すべきかが、前記ＤＣＩフォーマットに基づいて決定され、前記ＭＣＳおよび／またはＣＱＩテーブルが、前記ターゲットＢＬＥＲに基づいて識別される、請求項３５から３７のいずれか一項に記載の無線デバイス。
【請求項３９】
前記ＭＣＳおよび／またはＣＱＩテーブルを識別するために、前記処理回路要素が、第１のターゲットＢＬＥＲに対応するＣＱＩテーブルと、第２のターゲットＢＬＥＲに対応するＭＣＳテーブルとを識別するようにさらに設定された、請求項２１から３８のいずれか一項に記載の無線デバイス。
【請求項４０】
前記通信サービス中に、前記識別されたＭＣＳおよび／またはＣＱＩテーブルを使用することをさらに含む、請求項２１から３９のいずれか一項に記載の無線デバイス。
【請求項４１】
ネットワークノードによって実施される方法であって、前記方法は、
無線デバイスに関連する通信サービスを決定すること（２２）と、
前記通信サービスに対応する指示を前記無線デバイスに送ること（２８）であって、前記指示は、前記無線デバイスが、変調符号化方式（ＭＣＳ）テーブルおよび／またはチャネル品質インジケータ（ＣＱＩ）テーブルを、複数の規定されたＭＣＳおよび／またはＣＱＩテーブルから識別することを可能にする、指示を前記無線デバイスに送ること（２８）と
を含む、方法。
【請求項４２】
前記通信サービスが、高信頼性要件および／または低レイテンシ要件を伴うサービスに対応する、請求項４１に記載の方法。
【請求項４３】
前記指示が、設定されたモードを指示する、請求項４１または４２に記載の方法。
【請求項４４】
前記設定されたモードが、
低いターゲットブロック誤り率（ＢＬＥＲ）を有するモード、
高信頼性要件を有するモード、および／または
低レイテンシ要件を有するモード
に対応する、請求項４３に記載の方法。
【請求項４５】
前記指示は、前記無線デバイスがすべての可能なＢＬＥＲオペレーショナルレベルからターゲットＢＬＥＲを選択することを可能にする、ｇＮｂまたはＨＡＲＱ関係パラメータを含む、請求項４１から４４のいずれか一項に記載の方法。
【請求項４６】
前記無線デバイスの１つまたは複数の能力を決定すること（２４）と、
前記無線デバイスについて決定された前記１つまたは複数の能力に基づいて、前記通信サービスに対応する前記指示を準備すること（２６）と
をさらに含む、請求項４１から４５のいずれか一項に記載の方法。
【請求項４７】
前記無線デバイスの能力を指示する情報を前記無線デバイスから受信すること（２０）であって、前記指示された能力が、前記無線デバイスのターゲットＢＬＥＲ能力、ＭＣＳテーブル能力、および／またはＣＱＩテーブル能力を含む、情報を前記無線デバイスから受信すること（２０）
をさらに含む、請求項４１から４６のいずれか一項に記載の方法。
【請求項４８】
前記無線デバイスから受信された前記情報が、前記無線デバイスの１つまたは複数のサービス能力を指示し、前記無線デバイスの前記ターゲットＢＬＥＲ能力、前記ＭＣＳテーブル能力、および／または前記ＣＱＩテーブル能力が、前記サービス能力に基づいて前記ネットワークノードによって決定される、請求項４７に記載の方法。
【請求項４９】
前記無線デバイスから受信された前記情報が、前記無線デバイスの前記ターゲットＢＬＥＲ能力、前記ＭＣＳテーブル能力、および／または前記ＣＱＩテーブル能力を明示的に指示する、請求項４７に記載の方法。
【請求項５０】
前記無線デバイスに送られた前記指示は、前記無線デバイスが前記ＭＣＳおよび／またはＣＱＩテーブルを識別することを可能にする、ターゲットＢＬＥＲを指示する、請求項４１から４９のいずれか一項に記載の方法。
【請求項５１】
前記指示が、無線リソース制御シグナリングを介して前記無線デバイスに送られる、請求項４１から５０のいずれか一項に記載の方法。
【請求項５２】
前記複数のＭＣＳおよび／またはＣＱＩテーブルのうちの第１のＭＣＳおよび／または第１のＣＱＩテーブルが、第１のＢＬＥＲに対応し、前記複数のＭＣＳおよび／またはＣＱＩテーブルのうちの第２のＭＣＳおよび／または第２のＣＱＩテーブルが、第２のＢＬＥＲに対応し、前記第１のＢＬＥＲが前記第２のＢＬＥＲとは異なる、請求項４１から５１のいずれか一項に記載の方法。
【請求項５３】
前記指示は、前記無線デバイスが、低いターゲットＢＬＥＲを有するあらかじめ規定されたモードに従って設定されたとき、前記無線デバイスが１つのＣＱＩテーブルのみを使用することを決定することを可能にする、請求項４１から５２のいずれか一項に記載の方法。
【請求項５４】
前記指示が、ダウンリンク制御情報（ＤＣＩ）を介して前記無線デバイスに送られる、請求項４１から５０または５２から５３のいずれか一項に記載の方法。
【請求項５５】
前記指示は、前記無線デバイスが、少なくとも１つのＭＣＳテーブルと少なくとも１つのＣＱＩテーブルとを、ＤＣＩ中の同じビットフィールドに基づいて識別することを可能にする、請求項５４に記載の方法。
【請求項５６】
指示は、前記無線デバイスが、少なくとも１つのＭＣＳテーブルと少なくとも１つのＣＱＩテーブルとを、ＤＣＩ中の異なるビットフィールドに基づいて識別することを可能にする、請求項５４に記載の方法。
【請求項５７】
前記ＤＣＩがＤＣＩフォーマットを有し、前記ＤＣＩフォーマットは、前記無線デバイスが複数のターゲットＢＬＥＲのうちのどのターゲットＢＬＥＲを使用すべきかを決定することを可能にし、それにより、前記無線デバイスが前記ターゲットＢＬＥＲに基づいて前記ＭＣＳおよび／またはＣＱＩテーブルを識別することを可能にする、請求項５４から５６のいずれか一項に記載の方法。
【請求項５８】
前記指示は、前記無線デバイスが、第１のターゲットＢＬＥＲに対応するＣＱＩテーブルと、第２のターゲットＢＬＥＲに対応するＭＣＳテーブルとを識別することを可能にする、請求項５４から５６のいずれか一項に記載の方法。
【請求項５９】
前記無線デバイスが前記識別されたＭＣＳおよび／またはＣＱＩテーブルを使用する、通信セッションを介して前記無線デバイスと通信すること（３０）をさらに含む、請求項４１から５８のいずれか一項に記載の方法。
【請求項６０】
ネットワークノード（１６０）であって、前記ネットワークノードが、
−  前記ネットワークノードに電力を供給するように設定された電力供給回路要素（１８７）と、
−  処理回路要素（１７０）と
を備え、前記処理回路要素（１７０）は、
無線デバイスに関連する通信サービスを決定することと、
前記通信サービスに対応する指示を前記無線デバイスに送ることであって、前記指示は、前記無線デバイスが、変調符号化方式（ＭＣＳ）テーブルおよび／またはチャネル品質インジケータ（ＣＱＩ）テーブルを、複数の規定されたＭＣＳおよび／またはＣＱＩテーブルから識別することを可能にする、指示を前記無線デバイスに送ることと
を行うように設定された、ネットワークノード（１６０）。
【請求項６１】
前記処理回路要素が、請求項４１から５９に記載の方法のいずれかを実施するようにさらに設定された、請求項６０に記載のネットワークノード。
【発明の詳細な説明】
【技術分野】
【０００１】
本開示のいくつかの実施形態は、一般に、無線通信に関する。より詳細には、本開示のいくつかの実施形態は、変調符号化方式（ＭＣＳ）テーブルおよびチャネル品質インジケータ（ＣＱＩ）テーブルを識別することに関する。
【背景技術】
【０００２】
セルラー無線システムは、無線インターフェース上で無線デバイスと通信するネットワークノードを含む。セルラー無線システムの例は、Ｌｏｎｇ  Ｔｅｒｍ  Ｅｖｏｌｕｔｉｏｎ（ＬＴＥ）および新しい無線（ＮＲ）など、第３世代パートナーシッププロジェクト（３ＧＰＰ）規格において指定されたものを含む。ネットワークノードの例は、拡張ユニバーサル地上無線アクセスネットワークノードＢ（ｅＮＢ）およびＮＲにおける基地局（ｇＮＢ）など、基地局を含む。無線デバイスの例は、端末とユーザ機器（ＵＥ）とを含む。ネットワークノードと無線とは、何らかのチャネル品質情報に基づいてセットされるＭＣＳを使用して、互いに通信する。ＣＱＩおよびＭＣＳテーブルは、ＣＱＩ報告を決定するために無線デバイスによって、およびスケジューリングのためにネットワークノード（ｅＮＢ／ｇＮＢ）によって参照され得る。
【０００３】
ＬＴＥは、主に、拡張モバイルブロードバンド（ｅＭＢＢ）トラフィックタイプに基づいて設計される。現在のＬＴＥシステムにおけるＣＱＩ報告は、１０％のターゲットブロック誤り率（ＢＬＥＲ）に対応する。ＬＴＥにおけるＣＱＩおよびＭＣＳテーブルも、この１０％のターゲットＢＬＥＲに基づいて設計されており、たとえば、３ＧＰＰ  ＴＳ３６．２１３  Ｖ１４．４．０（２０１７−０９）を参照されたい。このターゲットＢＬＥＲは、超高信頼低レイテンシ通信（ＵＲＬＬＣ）など、超高信頼性を必要とする新しいサービスまたは使用事例にとっては十分でない。
【発明の概要】
【０００４】
現在、（１つまたは複数の）ある課題が存在する。複数のターゲットＢＬＥＲが、高信頼性または低レイテンシ通信サービス、たとえばＵＲＬＬＣのために利用可能であり得る。ｅＭＢＢのためのデフォルトのＣＱＩテーブルおよび／またはＭＣＳテーブルを含む、複数の別個のＣＱＩテーブルおよび／またはＭＣＳテーブルが規定されるとき、これらのテーブルの設定を指定し、テーブルがどのように識別され得るかを決定し、最終的に、無線デバイスが、決定された通信サービスのための適切なＭＣＳおよび／またはＣＱＩ値を、規定されたテーブルから選択することを可能にすることが重要である。
【０００５】
たとえば、複数のＣＱＩ／ＭＣＳテーブルが指定されるとき、システムが適切におよび効率的に動作するために、これらのテーブルの使用を設定するための方法が必要とされる。
【０００６】
本開示のいくつかの態様およびそれらの実施形態は、これらまたは他の課題のソリューションを提供し得る。本開示のいくつかの実施形態は、複数のＭＣＳおよびＣＱＩテーブルが存在するとき、ＭＣＳおよびＣＱＩテーブルの使用を設定するための新しい方法を提供する。たとえば、いくつかの実施形態は、ダウンリンク制御情報（ＤＣＩ）中のビットフィールド、ＤＣＩタイプ、および／または設定されたターゲットＢＬＥＲに基づいて、ＭＣＳおよびＱＣＩテーブルの使用を設定するための方法を提供する。いくつかの実施形態は、無線デバイスによるＣＱＩ／ＭＣＳテーブルおよびＢＬＥＲターゲット能力指示を使用する。
【０００７】
いくつかの実施形態によれば、無線デバイスによって実施される方法は、通信サービスに対応する指示を受信することと、受信された指示に基づいて、ＭＣＳおよび／またはＣＱＩテーブルを、複数の規定されたＭＣＳおよび／またはＣＱＩテーブルから識別することとを含む。これは、変化するＢＬＥＲ要件を伴う特定の通信サービスをサポートするために、異なるＭＣＳおよびＣＱＩテーブルが規定され、ＵＥがネットワークによって別々に制御され得るという利点を提供する。
【０００８】
いくつかの実施形態によれば、無線デバイスは、電力供給回路要素と処理回路要素とを備える。電力供給回路要素は、無線デバイスに電力を供給するように設定される。処理回路要素は、通信サービスに対応する指示を受信することと、受信された指示に基づいて、ＭＣＳおよび／またはＣＱＩテーブルを、複数の規定されたＭＣＳおよび／またはＣＱＩテーブルから識別することとを行うように設定される。
【０００９】
上記で説明された、無線デバイスおよび／または無線デバイスによって実施される方法は、以下の特徴のうちのいずれかなど、１つまたは複数の追加の特徴を含むか、またはサポートするように設定され得る。
【００１０】
いくつかの実施形態では、通信サービスは、高信頼性要件および／または低レイテンシ要件を伴うサービスに対応する。
【００１１】
いくつかの実施形態では、受信された指示は、設定されたモードを含む。たとえば、いくつかの実施形態では、設定されたモードは、低いターゲットＢＬＥＲを有するモード、高信頼性要件を有するモード、および／または低レイテンシ要件を有するモードに対応する。
【００１２】
いくつかの実施形態では、ターゲットＢＬＥＲは、ｇＮｂまたはＨＡＲＱ関係パラメータおよび／あるいはＵＥ能力に従って、すべての可能なＢＬＥＲオペレーショナルレベルから無線デバイスによって暗黙的に選択される。
【００１３】
いくつかの実施形態では、方法／無線デバイスは、無線デバイスの能力を指示する情報をネットワークに送る。指示された能力は、無線デバイスのターゲットＢＬＥＲ能力、ＭＣＳテーブル能力、および／またはＣＱＩテーブル能力を含む。いくつかの実施形態では、能力は、サービス能力に基づいて暗黙的に指示される。いくつかの実施形態では、能力は、ネットワークへの明示的シグナリングを使用して指示される。
【００１４】
いくつかの実施形態では、ターゲットＢＬＥＲは、通信サービスに対応する指示を受信したことに基づいて無線デバイスによって取得され、ＭＣＳおよび／またはＣＱＩテーブルは、ターゲットＢＬＥＲに基づいて識別される。
【００１５】
いくつかの実施形態では、通信サービスに対応する指示は、ＲＲＣシグナリングを介して受信される。
【００１６】
いくつかの実施形態では、識別されたテーブルはＭＣＳテーブルであり、方法／無線デバイスは、識別されたテーブルから変調符号化方式を選択する。
【００１７】
いくつかの実施形態では、識別されたテーブルはＣＱＩテーブルであり、方法／無線デバイスは、識別されたテーブルからチャネル品質指示を選択する。
【００１８】
いくつかの実施形態では、複数のＭＣＳおよび／またはＣＱＩテーブルのうちの第１のＭＣＳおよび／または第１のＣＱＩテーブルが、第１のＢＬＥＲに対応し、複数のＭＣＳおよび／またはＣＱＩテーブルのうちの第２のＭＣＳおよび／または第２のＣＱＩテーブルが、第２のＢＬＥＲに対応する。第１のＢＬＥＲは第２のＢＬＥＲとは異なる。
【００１９】
いくつかの実施形態では、ＭＣＳおよび／またはＣＱＩテーブルを識別することは、無線デバイスが、低いターゲットＢＬＥＲを有するあらかじめ規定されたモードに従って設定されたとき、１つのＣＱＩテーブルのみを使用することを決定することを含む。
【００２０】
いくつかの実施形態では、通信サービスに対応する指示は、ＤＣＩを介して受信される。いくつかの実施形態では、ＭＣＳおよび／またはＣＱＩテーブルを識別することは、少なくとも１つのＭＣＳテーブルと少なくとも１つのＣＱＩテーブルとを、ＤＣＩ中の同じビットフィールドに基づいて識別することを含む。他の実施形態では、ＭＣＳおよび／またはＣＱＩテーブルを識別することは、少なくとも１つのＭＣＳテーブルと少なくとも１つのＣＱＩテーブルとを、ＤＣＩ中の異なるビットフィールドに基づいて識別することを含む。いくつかの実施形態では、ＤＣＩはＤＣＩフォーマットを有し、複数のターゲットＢＬＥＲのうちのどのターゲットＢＬＥＲを使用すべきかは、ＤＣＩフォーマットに基づいて決定され、ＭＣＳおよび／またはＣＱＩテーブルは、ターゲットＢＬＥＲに基づいて識別される。
【００２１】
いくつかの実施形態では、ＭＣＳおよび／またはＣＱＩテーブルを識別することは、第１のターゲットＢＬＥＲに対応するＣＱＩテーブルと、第２のターゲットＢＬＥＲに対応するＭＣＳテーブルとを識別することを含む。
【００２２】
いくつかの実施形態では、識別されたＭＣＳおよび／またはＣＱＩテーブルは、通信サービス中に使用される。
【００２３】
いくつかの実施形態によれば、ネットワークノードによって実施される方法は、無線デバイスに関連する通信サービスを決定することと、通信サービスに対応する指示を無線デバイスに送ることとを含む。その指示は、無線デバイスが、ＭＣＳおよび／またはＣＱＩテーブルを、複数の規定されたＭＣＳおよび／またはＣＱＩテーブルから識別することを可能にする。
【００２４】
いくつかの実施形態によれば、ネットワークノードは、電力供給回路要素と処理回路要素とを備える。電力供給回路要素は、ネットワークノードに電力を供給するように設定される。処理回路要素は、無線デバイスに関連する通信サービスを決定することと、通信サービスに対応する指示を無線デバイスに送ることとを行うように設定される。その指示は、無線デバイスが、ＭＣＳおよび／またはＣＱＩテーブルを、複数の規定されたＭＣＳおよび／またはＣＱＩテーブルから識別することを可能にする。
【００２５】
上記で説明された、ネットワークノードおよび／またはネットワークノードによって実施される方法は、以下の特徴のうちのいずれかなど、１つまたは複数の追加の特徴を含むか、またはサポートするように設定され得る。
【００２６】
いくつかの実施形態では、通信サービスは、高信頼性要件および／または低レイテンシ要件を伴うサービスに対応する。
【００２７】
いくつかの実施形態では、指示は、設定されたモードを指示する。たとえば、いくつかの実施形態では、設定されたモードは、低いターゲットＢＬＥＲを有するモード、高信頼性要件を有するモード、および／または低レイテンシ要件を有するモードに対応する。
【００２８】
いくつかの実施形態では、指示は、無線デバイスがすべての可能なＢＬＥＲオペレーショナルレベルからターゲットＢＬＥＲを選択することを可能にする、ｇＮｂまたはＨＡＲＱ関係パラメータを含む。
【００２９】
いくつかの実施形態では、方法および／またはネットワークノードは、無線デバイスの１つまたは複数の能力を決定し、無線デバイスについて決定された１つまたは複数の能力に基づいて、通信サービスに対応する指示を準備する。
【００３０】
いくつかの実施形態では、方法および／またはネットワークノードは、無線デバイスの能力を指示する情報を無線デバイスから受信し、指示された能力は、無線デバイスのターゲットＢＬＥＲ能力、ＭＣＳテーブル能力、および／またはＣＱＩテーブル能力を含む。いくつかの実施形態では、無線デバイスから受信された情報は、無線デバイスの１つまたは複数のサービス能力を指示し、無線デバイスのターゲットＢＬＥＲ能力、ＭＣＳテーブル能力、および／またはＣＱＩテーブル能力は、サービス能力に基づいてネットワークノードによって決定される。いくつかの実施形態では、無線デバイスから受信された情報は、無線デバイスのターゲットＢＬＥＲ能力、ＭＣＳテーブル能力、および／またはＣＱＩテーブル能力を明示的に指示する。
【００３１】
いくつかの実施形態では、無線デバイスに送られた指示は、無線デバイスがＭＣＳおよび／またはＣＱＩテーブルを識別することを可能にする、ターゲットＢＬＥＲを指示する。
【００３２】
いくつかの実施形態では、指示は、ＲＲＣシグナリングを介して無線デバイスに送られる。
【００３３】
いくつかの実施形態では、複数のＭＣＳおよび／またはＣＱＩテーブルのうちの第１のＭＣＳおよび／または第１のＣＱＩテーブルが、第１のＢＬＥＲに対応し、複数のＭＣＳおよび／またはＣＱＩテーブルのうちの第２のＭＣＳおよび／または第２のＣＱＩテーブルが、第２のＢＬＥＲに対応する。第１のＢＬＥＲは第２のＢＬＥＲとは異なる。
【００３４】
いくつかの実施形態では、指示は、無線デバイスが、低いターゲットＢＬＥＲを有するあらかじめ規定されたモードに従って設定されたとき、無線デバイスが１つのＣＱＩテーブルのみを使用することを決定することを可能にする。
【００３５】
いくつかの実施形態では、指示は、ＤＣＩを介して無線デバイスに送られる。いくつかの実施形態では、指示は、無線デバイスが、少なくとも１つのＭＣＳテーブルと少なくとも１つのＣＱＩテーブルとを、ＤＣＩ中の同じビットフィールドに基づいて識別することを可能にする。他の実施形態では、指示は、無線デバイスが、少なくとも１つのＭＣＳテーブルと少なくとも１つのＣＱＩテーブルとを、ＤＣＩ中の異なるビットフィールドに基づいて識別することを可能にする。いくつかの実施形態では、ＤＣＩはＤＣＩフォーマットを有し、ＤＣＩフォーマットは、無線デバイスが複数のターゲットＢＬＥＲのうちのどのターゲットＢＬＥＲを使用すべきかを決定することを可能にし、それにより、無線デバイスがターゲットＢＬＥＲに基づいてＭＣＳおよび／またはＣＱＩテーブルを識別することを可能にする。
【００３６】
いくつかの実施形態では、指示は、無線デバイスが、第１のターゲットＢＬＥＲに対応するＣＱＩテーブルと、第２のターゲットＢＬＥＲに対応するＭＣＳテーブルとを識別することを可能にする。
【００３７】
いくつかの実施形態では、方法／ネットワークノードは、無線デバイスが識別されたＭＣＳおよび／またはＣＱＩテーブルを使用する、通信セッションを介して無線デバイスと通信する。
【００３８】
いくつかの実施形態は、（１つまたは複数の）以下の技術的利点のうちの１つまたは複数を提供し得る。たとえば、いくつかの実施形態は、ＵＲＬＬＣなどの高信頼性サービスのために使用されるべきＭＣＳテーブルの設定のための方法を提供する。別の例として、いくつかの実施形態は、複数のＭＣＳおよびＣＱＩテーブルをもつシステムの一般的な設定に好適である方法を提供する。
【図面の簡単な説明】
【００３９】
【図１】いくつかの実施形態による、無線ネットワークの一例を示す図である。
【図２】いくつかの実施形態による、ユーザ機器の一例を示す図である。
【図３】いくつかの実施形態による、仮想化環境の一例を示す図である。
【図４】いくつかの実施形態による、中間ネットワークを介してホストコンピュータに接続された通信ネットワークの一例を示す図である。
【図５】いくつかの実施形態による、部分的無線接続上で基地局を介してユーザ機器と通信するホストコンピュータの一例を示す図である。
【図６】いくつかの実施形態による、ホストコンピュータと、基地局と、ユーザ機器とを含む通信システムにおいて実装される方法の一例を示す図である。
【図７】いくつかの実施形態による、ホストコンピュータと、基地局と、ユーザ機器とを含む通信システムにおいて実装される方法の一例を示す図である。
【図８】いくつかの実施形態による、ホストコンピュータと、基地局と、ユーザ機器とを含む通信システムにおいて実装される方法の一例を示す図である。
【図９】いくつかの実施形態による、ホストコンピュータと、基地局と、ユーザ機器とを含む通信システムにおいて実装される方法の一例を示す図である。
【図１０】いくつかの実施形態による、方法の一例を示す図である。
【図１１】いくつかの実施形態による、方法の一例を示す図である。
【図１２】いくつかの実施形態による、仮想化装置の一例を示す図である。
【図１３ａ】いくつかの実施形態による、無線デバイスによって実施され得る方法の一例を示す図である。
【図１３ｂ】いくつかの実施形態による、無線デバイスによって実施され得る方法の一例を示す図である。
【図１４】いくつかの実施形態による、ネットワークノードによって実施され得る方法の一例を示す図である。
【発明を実施するための形態】
【００４０】
概して、本明細書で使用されるすべての用語は、異なる意味が、明確に与えられ、および／またはその用語が使用されるコンテキストから暗示されない限り、関連する技術分野における、それらの用語の通常の意味に従って解釈されるべきである。１つの（ａ／ａｎ）／その（ｔｈｅ）エレメント、装置、構成要素、手段、ステップなどへのすべての言及は、別段明示的に述べられていない限り、そのエレメント、装置、構成要素、手段、ステップなどの少なくとも１つの事例に言及しているものとしてオープンに解釈されるべきである。本明細書で開示されるいずれの方法のステップも、ステップが、別のステップに後続するかまたは先行するものとして明示的に説明されない限り、および／あるいはステップが別のステップに後続するかまたは先行しなければならないことが暗黙的である場合、開示される厳密な順序で実施される必要はない。本明細書で開示される実施形態のうちのいずれかの任意の特徴は、適切であればいかなる場合も、任意の他の実施形態に適用され得る。同じように、実施形態のうちのいずれかの任意の利点は、任意の他の実施形態に適用され得、その逆も同様である。同封の実施形態の他の目的、特徴、および利点は、以下の説明から明らかになろう。
【００４１】
添付の図面を参照しながら、次に、本明細書で企図される実施形態のうちのいくつかがより十分に説明される。しかしながら、他の実施形態は、本明細書で開示される主題の範囲内に含まれており、開示される主題は、本明細書に記載される実施形態のみに限定されるものとして解釈されるべきではなく、むしろ、これらの実施形態は、当業者に主題の範囲を伝達するために、例として提供される。
【００４２】
３ＧＰＰ新しい無線（ＮＲ）では、２つの新しいターゲットブロック誤り率（ＢＬＥＲ）が、超高信頼低レイテンシ通信（ＵＲＬＬＣ）のためにサポートされる。以下の説明では、これらのターゲットＢＬＥＲは、ＢＬＥＲ１およびＢＬＥＲ２として示されている。１０％のデフォルトＢＬＥＲ動作レベルがＢＬＥＲ０によって示される。これらのターゲットの各々に対応する別個のチャネル品質インジケータ（ＣＱＩ）および変調符号化方式（ＭＣＳ）テーブルが存在し得る。
【００４３】
ＢＬＥＲ１およびＢＬＥＲ２の例は、１回の再送信が可能にされるときのターゲットＢＬＥＲ、および単一の送信のみが１０＾−５の全体的ターゲットに達することを可能にされるときのターゲットＢＬＥＲに対応する、１０＾−３および１０＾−５であり得る。
【００４４】
いくつかの実施形態によれば、無線デバイスは、無線デバイスの設定／能力をネットワークに指示することができる。たとえば、無線デバイスは、無線デバイスのＢＬＥＲターゲットおよびＭＣＳ／ＣＱＩテーブル能力をネットワークに指示することができる。それらの能力は、（サービス能力によって）暗黙的に、または（シグナリングによって）明示的に指示され得る。そのような能力をネットワークに指示するアビリティ（ａｂｉｌｉｔｙ）は、特に、無線デバイスが、システムにおいて規定されたすべての可能なＭＣＳ／ＣＱＩテーブルまたはターゲットＢＬＥＲをサポートするとは限らない場合、いくつかの状況では重要であり得る。本開示はこの可能性をもたらす。
【００４５】
ＭＣＳおよびＣＱＩテーブルを設定するためのいくつかの可能性が存在する。たとえば、一実施形態では、無線リソース制御（ＲＲＣ）が使用されて、（ＢＬＥＲ０、ＢＬＥＲ１、ＢＬＥＲ２から選択されるＢＬＥＲ動作レベルなどの）ＢＬＥＲ動作レベルで無線デバイスを設定する。次いで、無線デバイスは、そのＢＬＥＲレベルに対応するＭＣＳおよびＣＱＩテーブルを使用する。
【００４６】
別の例として、一実施形態では、ターゲットＢＬＥＲは、ｅＮＢ／ｇＮＢまたはハイブリッド自動再送要求（ＨＡＲＱ）関係パラメータおよび／あるいは無線デバイス能力に従って、すべての可能なＢＬＥＲオペレーショナルレベルから無線デバイスによって暗黙的に選ばれる。ターゲットＢＬＥＲを選ぶために無線デバイスによって使用され得るパラメータまたは能力の例は、ＨＡＲＱ送信の最大許容数、サブキャリアスペーシング（ヌメロロジー）、送信時間間隔、ミニスロット持続時間、ＵＲＬＬＣ能力などを含む。続けて、無線デバイスは、動作すべきＣＱＩ／ＭＣＳテーブルを選択する。
【００４７】
別の例として、一実施形態では、無線デバイスは、「低ターゲットＢＬＥＲモード」または「ＵＲＬＬＣモード」で設定された無線リソース制御（ＲＲＣ）プロトコルであり、ＢＬＥＲ１およびＢＬＥＲ２に対応する２つのＣＱＩテーブルおよび２つのＭＣＳテーブルを使用する。さらなるオプションは、ポーリングされたＣＱＩのためにどのＣＱＩテーブルが使用されるべきであるかを指示するために、ダウンリンク制御情報（ＤＣＩ）中のビットを使用することであろう。さらに、または代替として、さらなるオプションは、無線デバイスが「低ターゲットＢＬＥＲモード」または「ＵＲＬＬＣモード」で設定されたＲＲＣであるとき、１つのＣＱＩテーブルのみの使用を設定することであろう。これは、たとえば、周期チャネル状態情報（ＣＳＩ）動作のために適用され得る。
【００４８】
また別の例として、一実施形態では、ポーリングされたＣＱＩ動作においてどのＣＱＩテーブルを使用すべきかを指示するＤＣＩビットがあるとき、同じ指示ビットが、ｅＮＢ／ｇＮＢスケジューリングのためのＭＣＳテーブルを指示するためにも使用される。すなわち、スケジュールされた送信に対応するＤＣＩ中の追加のＭＣＳテーブル指示ビットがないことがある。
【００４９】
別の例として、別の実施形態では、（たとえば、ＢＬＥＲ１に対応するＣＱＩテーブルを使用するために）ポーリングされたＣＱＩ動作においてどのＣＱＩテーブルを使用すべきかを指示するＤＣＩビットがあるとき、ｅＮＢ／ｇＮＢは、別のＭＣＳテーブル（ＢＬＥＲ２に対応するテーブル）からのＭＣＳでスケジュールすることを決めることができる。ＭＣＳテーブル指示ビットは、スケジューリングのためにどのＭＣＳテーブルが使用されるかを指示するためにＤＣＩ中で使用される。
【００５０】
別の実施形態では、無線デバイスは、特定のＤＣＩフォーマット、たとえば、フォールバックＤＣＩまたはコンパクトＤＣＩフォーマットに接続された１つのＢＬＥＲターゲット［ＢＬＥＲ１またはＢＬＥＲ２のいずれか］で設定される。特定のＤＣＩを受信すると、無線デバイスは、１つの低いＢＬＥＲに対応するＭＣＳおよびＣＱＩテーブルを使用する。
【００５１】
また別の実施形態では、無線デバイスは、特定のＤＣＩフォーマットに接続された２つのＢＬＥＲターゲットで設定される。特定のＤＣＩを受信すると、無線デバイスは、ＤＣＩ中のビットによって指示された１つの低いＢＬＥＲ［ＢＬＥＲ１またはＢＬＥＲ２］に対応する、ＭＣＳおよびＣＱＩテーブルを使用する。
【００５２】
本明細書で説明される主題は、任意の好適な構成要素を使用する任意の適切なタイプのシステムにおいて実装され得るが、本明細書で開示される実施形態は、図１に示されている例示的な無線ネットワークなど、無線ネットワークに関して説明される。簡単のために、図１の無線ネットワークは、ネットワーク１０６、ネットワークノード１６０および１６０ｂ、ならびに無線デバイス１１０、１１０ｂ、および１１０ｃのみを図示する。実際には、無線ネットワークは、無線デバイス間の通信、あるいは無線デバイスと、固定電話、サービスプロバイダ、または任意の他のネットワークノードもしくはエンドデバイスなどの別の通信デバイスとの間の通信をサポートするのに好適な任意の追加のエレメントをさらに含み得る。示されている構成要素のうち、ネットワークノード１６０および無線デバイス１１０は、追加の詳細とともに図示される。無線ネットワークは、１つまたは複数の無線デバイスに通信および他のタイプのサービスを提供して、無線デバイスの、無線ネットワークへのアクセス、および／あるいは、無線ネットワークによってまたは無線ネットワークを介して提供されるサービスの使用を容易にし得る。
【００５３】
無線ネットワークは、任意のタイプの通信、遠距離通信、データ、セルラー、および／または無線ネットワーク、あるいは他の同様のタイプのシステムを含み、および／またはそれらとインターフェースし得る。いくつかの実施形態では、無線ネットワークは、特定の規格あるいは他のタイプのあらかじめ規定されたルールまたはプロシージャに従って動作するように設定され得る。したがって、無線ネットワークの特定の実施形態は、モバイル通信用グローバルシステム（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、ならびに／あるいは他の好適な２Ｇ、３Ｇ、４Ｇ、または５Ｇ規格などの通信規格、ＩＥＥＥ８０２．１１規格などの無線ローカルエリアネットワーク（ＷＬＡＮ）規格、ならびに／あるいは、ワールドワイドインターオペラビリティフォーマイクロウェーブアクセス（ＷｉＭａｘ）、Ｂｌｕｅｔｏｏｔｈ、Ｚ−Ｗａｖｅおよび／またはＺｉｇＢｅｅ規格など、任意の他の適切な無線通信規格を実装し得る。
【００５４】
ネットワーク１０６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備え得る。
【００５５】
ネットワークノード１６０と無線デバイス１１０とは、以下でより詳細に説明される様々な構成要素を備える。これらの構成要素は、無線ネットワークにおいて無線接続を提供することなど、ネットワークノードおよび／または無線デバイス機能性を提供するために協働する。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る、任意の他の構成要素またはシステムを備え得る。
【００５６】
本明細書で使用されるネットワークノードは、無線デバイスと、ならびに／あるいは、無線デバイスへの無線アクセスを可能にし、および／または提供する、および／または、無線ネットワークにおいて他の機能（たとえば、アドミニストレーション）を実施するための、無線ネットワーク中の他のネットワークノードまたは機器と、直接または間接的に通信することが可能な、そうするように設定された、構成された、および／または動作可能な機器を指す。ネットワークノードの例は、限定はしないが、アクセスポイント（ＡＰ）（たとえば、無線アクセスポイント）、基地局（ＢＳ）（たとえば、無線基地局、ノードＢ、エボルブドノードＢ（ｅＮＢ）およびＮＲノードＢ（ｇＮＢ））を含む。基地局は、基地局が提供するカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。基地局は、リレーを制御する、リレーノードまたはリレードナーノードであり得る。ネットワークノードは、リモート無線ヘッド（ＲＲＨ）と呼ばれることがある、集中型デジタルユニットおよび／またはリモートラジオユニット（ＲＲＵ）など、分散型無線基地局の１つまたは複数（またはすべて）の部分をも含み得る。そのようなリモートラジオユニットは、アンテナ統合無線機としてアンテナと統合されることも統合されないこともある。分散型無線基地局の部分は、分散型アンテナシステム（ＤＡＳ）において、ノードと呼ばれることもある。ネットワークノードのまたさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。別の例として、ネットワークノードは、以下でより詳細に説明されるように、仮想ネットワークノードであり得る。しかしながら、より一般的には、ネットワークノードは、無線ネットワークへのアクセスを可能にし、および／または無線デバイスに提供し、あるいは、無線ネットワークにアクセスした無線デバイスに何らかのサービスを提供することが可能な、そうするように設定された、構成された、および／または動作可能な任意の好適なデバイス（またはデバイスのグループ）を表し得る。
【００５７】
図１では、ネットワークノード１６０は、処理回路要素１７０と、デバイス可読媒体１８０と、インターフェース１９０と、補助機器１８４と、電源１８６と、電力回路要素１８７と、アンテナ１６２とを含む。図１の例示的な無線ネットワーク中に示されているネットワークノード１６０は、ハードウェア構成要素の示されている組合せを含むデバイスを表し得るが、他の実施形態は、構成要素の異なる組合せをもつネットワークノードを備え得る。ネットワークノードが、本明細書で開示されるタスク、特徴、機能および方法を実施するために必要とされるハードウェアおよび／またはソフトウェアの任意の好適な組合せを備えることを理解されたい。その上、ネットワークノード１６０の構成要素が、より大きいボックス内に位置する単一のボックスとして、または複数のボックス内で入れ子にされている単一のボックスとして図示されているが、実際には、ネットワークノードは、単一の示されている構成要素を組成する複数の異なる物理構成要素を備え得る（たとえば、デバイス可読媒体１８０は、複数の別個のハードドライブならびに複数のＲＡＭモジュールを備え得る）。
【００５８】
同様に、ネットワークノード１６０は、複数の物理的に別個の構成要素（たとえば、ノードＢ構成要素およびＲＮＣ構成要素、またはＢＴＳ構成要素およびＢＳＣ構成要素など）から組み立てられ得、これらは各々、それら自体のそれぞれの構成要素を有し得る。ネットワークノード１６０が複数の別個の構成要素（たとえば、ＢＴＳ構成要素およびＢＳＣ構成要素）を備えるいくつかのシナリオでは、別個の構成要素のうちの１つまたは複数が、いくつかのネットワークノードの間で共有され得る。たとえば、単一のＲＮＣが、複数のノードＢを制御し得る。そのようなシナリオでは、各一意のノードＢとＲＮＣとのペアは、いくつかの事例では、単一の別個のネットワークノードと考えられ得る。いくつかの実施形態では、ネットワークノード１６０は、複数の無線アクセス技術（ＲＡＴ）をサポートするように設定され得る。そのような実施形態では、いくつかの構成要素は複製され得（たとえば、異なるＲＡＴのための別個のデバイス可読媒体１８０）、いくつかの構成要素は再利用され得る（たとえば、同じアンテナ１６２がＲＡＴによって共有され得る）。ネットワークノード１６０は、ネットワークノード１６０に統合された、たとえば、ＧＳＭ、ＷＣＤＭＡ、ＬＴＥ、ＮＲ、ＷｉＦｉ、またはＢｌｕｅｔｏｏｔｈ無線技術など、異なる無線技術のための様々な示されている構成要素の複数のセットをも含み得る。これらの無線技術は、同じまたは異なるチップまたはチップのセット、およびネットワークノード１６０内の他の構成要素に統合され得る。
【００５９】
処理回路要素１７０は、ネットワークノードによって提供されるものとして本明細書で説明される、任意の決定動作、計算動作、または同様の動作（たとえば、いくつかの取得動作）を実施するように設定される。処理回路要素１７０によって実施されるこれらの動作は、処理回路要素１７０によって取得された情報を、たとえば、取得された情報を他の情報に変換することによって、処理すること、取得された情報または変換された情報をネットワークノードに記憶された情報と比較すること、ならびに／あるいは、取得された情報または変換された情報に基づいて、および前記処理が決定を行ったことの結果として、１つまたは複数の動作を実施することを含み得る。
【００６０】
処理回路要素１７０は、単体で、またはデバイス可読媒体１８０などの他のネットワークノード１６０構成要素と併せてのいずれかで、ネットワークノード１６０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。たとえば、処理回路要素１７０は、デバイス可読媒体１８０に記憶された命令、または処理回路要素１７０内のメモリに記憶された命令を実行し得る。そのような機能性は、本明細書で説明される様々な無線特徴、機能、または利益のうちのいずれかを提供することを含み得る。いくつかの実施形態では、処理回路要素１７０は、システムオンチップ（ＳＯＣ）を含み得る。
【００６１】
いくつかの実施形態では、処理回路要素１７０は、無線周波数（ＲＦ）トランシーバ回路要素１７２とベースバンド処理回路要素１７４とのうちの１つまたは複数を含み得る。いくつかの実施形態では、無線周波数（ＲＦ）トランシーバ回路要素１７２とベースバンド処理回路要素１７４とは、別個のチップ（またはチップのセット）、ボード、または無線ユニットおよびデジタルユニットなどのユニット上にあり得る。代替実施形態では、ＲＦトランシーバ回路要素１７２とベースバンド処理回路要素１７４との一部または全部は、同じチップまたはチップのセット、ボード、あるいはユニット上にあり得る。
【００６２】
いくつかの実施形態では、ネットワークノード、基地局、ｅＮＢまたは他のそのようなネットワークデバイスによって提供されるものとして本明細書で説明される機能性の一部または全部は、デバイス可読媒体１８０、または処理回路要素１７０内のメモリに記憶された、命令を実行する処理回路要素１７０によって実施され得る。代替実施形態では、機能性の一部または全部は、ハードワイヤード様式などで、別個のまたは個別のデバイス可読媒体に記憶された命令を実行することなしに、処理回路要素１７０によって提供され得る。それらの実施形態のいずれでも、デバイス可読記憶媒体に記憶された命令を実行するか否かにかかわらず、処理回路要素１７０は、説明される機能性を実施するように設定され得る。そのような機能性によって提供される利益は、処理回路要素１７０単独に、またはネットワークノード１６０の他の構成要素に限定されないが、全体としてネットワークノード１６０によって、ならびに／または概してエンドユーザおよび無線ネットワークによって、享受される。
【００６３】
デバイス可読媒体１８０は、限定はしないが、永続記憶域、固体メモリ、リモートマウントメモリ、磁気媒体、光媒体、ランダムアクセスメモリ（ＲＡＭ）、読取り専用メモリ（ＲＯＭ）、大容量記憶媒体（たとえば、ハードディスク）、リムーバブル記憶媒体（たとえば、フラッシュドライブ、コンパクトディスク（ＣＤ）またはデジタルビデオディスク（ＤＶＤ））を含む、任意の形態の揮発性または不揮発性コンピュータ可読メモリ、ならびに／あるいは、処理回路要素１７０によって使用され得る情報、データ、および／または命令を記憶する、任意の他の揮発性または不揮発性、非一時的デバイス可読および／またはコンピュータ実行可能メモリデバイスを備え得る。デバイス可読媒体１８０は、コンピュータプログラム、ソフトウェア、論理、ルール、コード、テーブルなどのうちの１つまたは複数を含むアプリケーション、および／または処理回路要素１７０によって実行されることが可能であり、ネットワークノード１６０によって利用される、他の命令を含む、任意の好適な命令、データまたは情報を記憶し得る。デバイス可読媒体１８０は、処理回路要素１７０によって行われた計算および／またはインターフェース１９０を介して受信されたデータを記憶するために使用され得る。いくつかの実施形態では、処理回路要素１７０およびデバイス可読媒体１８０は、統合されていると見なされ得る。
【００６４】
インターフェース１９０は、ネットワークノード１６０、ネットワーク１０６、および／または無線デバイス１１０の間のシグナリングおよび／またはデータの有線または無線通信において使用される。示されているように、インターフェース１９０は、たとえば有線接続上でネットワーク１０６との間でデータを送るおよび受信するための（１つまたは複数の）ポート／（１つまたは複数の）端末１９４を備える。インターフェース１９０は、アンテナ１６２に結合されるか、またはいくつかの実施形態では、アンテナ１６２の一部であり得る、無線フロントエンド回路要素１９２をも含む。無線フロントエンド回路要素１９２は、フィルタ１９８と増幅器１９６とを備える。無線フロントエンド回路要素１９２は、アンテナ１６２および処理回路要素１７０に接続され得る。無線フロントエンド回路要素は、アンテナ１６２と処理回路要素１７０との間で通信される信号を調節するように設定され得る。無線フロントエンド回路要素１９２は、無線接続を介して他のネットワークノードまたは無線デバイスに送出されるべきであるデジタルデータを受信し得る。無線フロントエンド回路要素１９２は、デジタルデータを、フィルタ１９８および／または増幅器１９６の組合せを使用して適切なチャネルおよび帯域幅パラメータを有する無線信号に変換し得る。無線信号は、次いで、アンテナ１６２を介して送信され得る。同様に、データを受信するとき、アンテナ１６２は無線信号を収集し得、次いで、無線信号は無線フロントエンド回路要素１９２によってデジタルデータに変換される。デジタルデータは、処理回路要素１７０に受け渡され得る。他の実施形態では、インターフェースは、異なる構成要素および／または構成要素の異なる組合せを備え得る。
【００６５】
いくつかの代替実施形態では、ネットワークノード１６０は別個の無線フロントエンド回路要素１９２を含まないことがあり、代わりに、処理回路要素１７０は、無線フロントエンド回路要素を備え得、別個の無線フロントエンド回路要素１９２なしでアンテナ１６２に接続され得る。同様に、いくつかの実施形態では、ＲＦトランシーバ回路要素１７２の全部または一部が、インターフェース１９０の一部と見なされ得る。さらに他の実施形態では、インターフェース１９０は、無線ユニット（図示せず）の一部として、１つまたは複数のポートまたは端末１９４と、無線フロントエンド回路要素１９２と、ＲＦトランシーバ回路要素１７２とを含み得、インターフェース１９０は、デジタルユニット（図示せず）の一部であるベースバンド処理回路要素１７４と通信し得る。
【００６６】
アンテナ１６２は、無線信号を送り、および／または受信するように設定された、１つまたは複数のアンテナまたはアンテナアレイを含み得る。アンテナ１６２は、無線フロントエンド回路要素１９２に結合され得、データおよび／または信号を無線で送信および受信することが可能な任意のタイプのアンテナであり得る。いくつかの実施形態では、アンテナ１６２は、たとえば２ＧＨｚと６６ＧＨｚとの間の無線信号を送信／受信するように動作可能な１つまたは複数の全方向、セクタまたはパネルアンテナを備え得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。いくつかの事例では、２つ以上のアンテナの使用は、ＭＩＭＯと呼ばれることがある。いくつかの実施形態では、アンテナ１６２は、ネットワークノード１６０とは別個であり得、インターフェースまたはポートを通してネットワークノード１６０に接続可能であり得る。
【００６７】
アンテナ１６２、インターフェース１９０、および／または処理回路要素１７０は、ネットワークノードによって実施されるものとして本明細書で説明される任意の受信動作および／またはいくつかの取得動作を実施するように設定され得る。任意の情報、データおよび／または信号が、無線デバイス、別のネットワークノードおよび／または任意の他のネットワーク機器から受信され得る。同様に、アンテナ１６２、インターフェース１９０、および／または処理回路要素１７０は、ネットワークノードによって実施されるものとして本明細書で説明される任意の送信動作を実施するように設定され得る。任意の情報、データおよび／または信号が、無線デバイス、別のネットワークノードおよび／または任意の他のネットワーク機器に送信され得る。
【００６８】
電力回路要素１８７は、電力管理回路要素を備えるか、または電力管理回路要素に結合され得、本明細書で説明される機能性を実施するための電力を、ネットワークノード１６０の構成要素に供給するように設定される。電力回路要素１８７は、電源１８６から電力を受信し得る。電源１８６および／または電力回路要素１８７は、それぞれの構成要素に好適な形式で（たとえば、各それぞれの構成要素のために必要とされる電圧および電流レベルにおいて）、ネットワークノード１６０の様々な構成要素に電力を提供するように設定され得る。電源１８６は、電力回路要素１８７および／またはネットワークノード１６０中に含まれるか、あるいは電力回路要素１８７および／またはネットワークノード１６０の外部にあるかのいずれかであり得る。たとえば、ネットワークノード１６０は、電気ケーブルなどの入力回路要素またはインターフェースを介して外部電源（たとえば、電気コンセント）に接続可能であり得、それにより、外部電源は電力回路要素１８７に電力を供給する。さらなる例として、電源１８６は、電力回路要素１８７に接続された、または電力回路要素１８７中で統合された、バッテリーまたはバッテリーパックの形態の電力源を備え得る。バッテリーは、外部電源が落ちた場合、バックアップ電力を提供し得る。光起電力デバイスなどの他のタイプの電源も使用され得る。
【００６９】
ネットワークノード１６０の代替実施形態は、本明細書で説明される機能性、および／または本明細書で説明される主題をサポートするために必要な機能性のうちのいずれかを含む、ネットワークノードの機能性のいくつかの態様を提供することを担当し得る、図１に示されている構成要素以外の追加の構成要素を含み得る。たとえば、ネットワークノード１６０は、ネットワークノード１６０への情報の入力を可能にするための、およびネットワークノード１６０からの情報の出力を可能にするための、ユーザインターフェース機器を含み得る。これは、ユーザが、ネットワークノード１６０のための診断、メンテナンス、修復、および他の管理機能を実施することを可能にし得る。
【００７０】
本明細書で使用される無線デバイスは、ネットワークノードおよび／または他の無線デバイスと無線で通信することが可能な、そうするように設定された、構成された、および／または動作可能なデバイスを指す。別段に記載されていない限り、無線デバイスという用語は、本明細書ではユーザ機器（ＵＥ）と互換的に使用され得る。無線で通信することは、空中で情報を伝達するのに好適な、電磁波、電波、赤外波、および／または他のタイプの信号を使用して無線信号を送信および／または受信することを伴い得る。いくつかの実施形態では、無線デバイスは、直接人間対話なしに情報を送信および／または受信するように設定され得る。たとえば、無線デバイスは、内部または外部イベントによってトリガされたとき、あるいは、ネットワークからの要求に応答して、所定のスケジュールでネットワークに情報を送信するように設計され得る。無線デバイスの例は、限定はしないが、スマートフォン、モバイルフォン、セルフォン、ボイスオーバーＩＰ（ＶｏＩＰ）フォン、無線ローカルループ電話、デスクトップコンピュータ、携帯情報端末（ＰＤＡ）、無線カメラ、ゲーミングコンソールまたはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線顧客構内機器（ＣＰＥ：ｃｕｓｔｏｍｅｒ  ｐｒｅｍｉｓｅ  ｅｑｕｉｐｍｅｎｔ）、車載無線端末デバイスなどを含む。無線デバイスは、たとえばサイドリンク通信、車両対車両（Ｖ２Ｖ）、車両対インフラストラクチャ（Ｖ２Ｉ）、車両対あらゆるモノ（Ｖ２Ｘ）のための３ＧＰＰ規格を実装することによって、デバイス間（Ｄ２Ｄ）通信をサポートし得、この場合、Ｄ２Ｄ通信デバイスと呼ばれることがある。また別の特定の例として、モノのインターネット（ＩｏＴ）シナリオでは、無線デバイスは、監視および／または測定を実施し、そのような監視および／または測定の結果を別の無線デバイスおよび／またはネットワークノードに送信する、マシンまたは他のデバイスを表し得る。無線デバイスは、この場合、マシン間（Ｍ２Ｍ）デバイスであり得、Ｍ２Ｍデバイスは、３ＧＰＰコンテキストではＭＴＣデバイスと呼ばれることがある。１つの特定の例として、無線デバイスは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具（たとえば冷蔵庫、テレビジョンなど）、個人用ウェアラブル（たとえば、時計、フィットネストラッカーなど）である。他のシナリオでは、無線デバイスは車両または他の機器を表し得、車両または他の機器は、その動作ステータスを監視することおよび／またはその動作ステータスに関して報告すること、あるいはその動作に関連付けられた他の機能が可能である。上記で説明された無線デバイスは無線接続のエンドポイントを表し得、その場合には、デバイスは無線端末と呼ばれることがある。さらに、上記で説明された無線デバイスはモバイルであり得、その場合には、��バイスはモバイルデバイスまたはモバイル端末と呼ばれることもある。
【００７１】
示されているように、無線デバイス１１０は、アンテナ１１１と、インターフェース１１４と、処理回路要素１２０と、デバイス可読媒体１３０と、ユーザインターフェース機器１３２と、補助機器１３４と、電源１３６と、電力回路要素１３７とを含む。無線デバイス１１０は、無線デバイス１１０によってサポートされる、たとえば、ほんの数個を挙げると、ＧＳＭ、ＷＣＤＭＡ、ＬＴＥ、ＮＲ、ＷｉＦｉ、ＷｉＭＡＸ、またはＢｌｕｅｔｏｏｔｈ無線技術など、異なる無線技術のための示されている構成要素のうちの１つまたは複数の複数のセットを含み得る。これらの無線技術は、無線デバイス１１０内の他の構成要素と同じまたは異なるチップまたはチップのセットに統合され得る。
【００７２】
アンテナ１１１は、無線信号を送り、および／または受信するように設定された、１つまたは複数のアンテナまたはアンテナアレイを含み得、インターフェース１１４に接続される。いくつかの代替実施形態では、アンテナ１１１は、無線デバイス１１０とは別個であり、インターフェースまたはポートを通して無線デバイス１１０に接続可能であり得る。アンテナ１１１、インターフェース１１４、および／または処理回路要素１２０は、無線デバイスによって実施されるものとして本明細書で説明される任意の受信動作または送信動作を実施するように設定され得る。任意の情報、データおよび／または信号が、ネットワークノードおよび／または別の無線デバイスから受信され得る。いくつかの実施形態では、無線フロントエンド回路要素および／またはアンテナ１１１は、インターフェースと見なされ得る。
【００７３】
示されているように、インターフェース１１４は、無線フロントエンド回路要素１１２とアンテナ１１１とを備える。無線フロントエンド回路要素１１２は、１つまたは複数のフィルタ１１８と増幅器１１６とを備える。無線フロントエンド回路要素１１２は、アンテナ１１１および処理回路要素１２０に接続され、アンテナ１１１と処理回路要素１２０との間で通信される信号を調節するように設定される。無線フロントエンド回路要素１１２は、アンテナ１１１に結合されるか、またはアンテナ１１１の一部であり得る。いくつかの実施形態では、無線デバイス１１０は別個の無線フロントエンド回路要素１１２を含まないことがあり、むしろ、処理回路要素１２０は、無線フロントエンド回路要素を備え得、アンテナ１１１に接続され得る。同様に、いくつかの実施形態では、ＲＦトランシーバ回路要素１２２の一部または全部が、インターフェース１１４の一部と見なされ得る。無線フロントエンド回路要素１１２は、無線接続を介して他のネットワークノードまたは無線デバイスに送出されるべきであるデジタルデータを受信し得る。無線フロントエンド回路要素１１２は、デジタルデータを、フィルタ１１８および／または増幅器１１６の組合せを使用して適切なチャネルおよび帯域幅パラメータを有する無線信号に変換し得る。無線信号は、次いで、アンテナ１１１を介して送信され得る。同様に、データを受信するとき、アンテナ１１１は無線信号を収集し得、次いで、無線信号は無線フロントエンド回路要素１１２によってデジタルデータに変換される。デジタルデータは、処理回路要素１２０に受け渡され得る。他の実施形態では、インターフェースは、異なる構成要素および／または構成要素の異なる組合せを備え得る。
【００７４】
処理回路要素１２０は、単体で、またはデバイス可読媒体１３０などの他の無線デバイス１１０構成要素と併せてのいずれかで、無線デバイス１１０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。そのような機能性は、本明細書で説明される様々な無線特徴または利益のうちのいずれかを提供することを含み得る。たとえば、処理回路要素１２０は、本明細書で開示される機能性を提供するために、デバイス可読媒体１３０に記憶された命令、または処理回路要素１２０内のメモリに記憶された命令を実行し得る。
【００７５】
示されているように、処理回路要素１２０は、ＲＦトランシーバ回路要素１２２、ベースバンド処理回路要素１２４、およびアプリケーション処理回路要素１２６のうちの１つまたは複数を含む。他の実施形態では、処理回路要素は、異なる構成要素および／または構成要素の異なる組合せを備え得る。いくつかの実施形態では、無線デバイス１１０の処理回路要素１２０は、ＳＯＣを備え得る。いくつかの実施形態では、ＲＦトランシーバ回路要素１２２、ベースバンド処理回路要素１２４、およびアプリケーション処理回路要素１２６は、別個のチップまたはチップのセット上にあり得る。代替実施形態では、ベースバンド処理回路要素１２４およびアプリケーション処理回路要素１２６の一部または全部は１つのチップまたはチップのセットになるように組み合わせられ得、ＲＦトランシーバ回路要素１２２は別個のチップまたはチップのセット上にあり得る。さらに代替の実施形態では、ＲＦトランシーバ回路要素１２２およびベースバンド処理回路要素１２４の一部または全部は同じチップまたはチップのセット上にあり得、アプリケーション処理回路要素１２６は別個のチップまたはチップのセット上にあり得る。また他の代替実施形態では、ＲＦトランシーバ回路要素１２２、ベースバンド処理回路要素１２４、およびアプリケーション処理回路要素１２６の一部または全部は、同じチップまたはチップのセット中で組み合わせられ得る。いくつかの実施形態では、ＲＦトランシーバ回路要素１２２は、インターフェース１１４の一部であり得る。ＲＦトランシーバ回路要素１２２は、処理回路要素１２０のためのＲＦ信号を調節し得る。
【００７６】
いくつかの実施形態では、無線デバイスによって実施されるものとして本明細書で説明される機能性の一部または全部は、デバイス可読媒体１３０に記憶された命令を実行する処理回路要素１２０によって提供され得、デバイス可読媒体１３０は、いくつかの実施形態では、コンピュータ可読記憶媒体であり得る。代替実施形態では、機能性の一部または全部は、ハードワイヤード様式などで、別個のまたは個別のデバイス可読記憶媒体に記憶された命令を実行することなしに、処理回路要素１２０によって提供され得る。それらの特定の実施形態のいずれでも、デバイス可読記憶媒体に記憶された命令を実行するか否かにかかわらず、処理回路要素１２０は、説明される機能性を実施するように設定され得る。そのような機能性によって提供される利益は、処理回路要素１２０単独に、または無線デバイス１１０の他の構成要素に限定されないが、全体として無線デバイス１１０によって、ならびに／または概してエンドユーザおよび無線ネットワークによって、享受される。
【００７７】
処理回路要素１２０は、無線デバイスによって実施されるものとして本明細書で説明される、任意の決定動作、計算動作、または同様の動作（たとえば、いくつかの取得動作）を実施するように設定され得る。処理回路要素１２０によって実施されるようなこれらの動作は、処理回路要素１２０によって取得された情報を、たとえば、取得された情報を他の情報に変換することによって、処理すること、取得された情報または変換された情報を無線デバイス１１０によって記憶された情報と比較すること、ならびに／あるいは、取得された情報または変換された情報に基づいて、および前記処理が決定を行ったことの結果として、１つまたは複数の動作を実施することを含み得る。
【００７８】
デバイス可読媒体１３０は、コンピュータプログラム、ソフトウェア、論理、ルール、コード、テーブルなどのうちの１つまたは複数を含むアプリケーション、および／または処理回路要素１２０によって実行されることが可能な他の命令を記憶するように動作可能であり得る。デバイス可読媒体１３０は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路要素１２０によって使用され得る情報、データ、および／または命令を記憶する、任意の他の揮発性または不揮発性、非一時的デバイス可読および／またはコンピュータ実行可能メモリデバイスを含み得る。いくつかの実施形態では、処理回路要素１２０およびデバイス可読媒体１３０は、統合されていると見なされ得る。
【００７９】
ユーザインターフェース機器１３２は、人間のユーザが無線デバイス１１０と対話することを可能にする構成要素を提供し得る。そのような対話は、視覚、聴覚、触覚など、多くの形式のものであり得る。ユーザインターフェース機器１３２は、ユーザへの出力を作り出すように、およびユーザが無線デバイス１１０への入力を提供することを可能にするように動作可能であり得る。対話のタイプは、無線デバイス１１０にインストールされるユーザインターフェース機器１３２のタイプに応じて変化し得る。たとえば、無線デバイス１１０がスマートフォンである場合、対話はタッチスクリーンを介したものであり得、無線デバイス１１０がスマートメーターである場合、対話は、使用量（たとえば、使用されたガロンの数）を提供するスクリーン、または（たとえば、煙が検出された場合）可聴警報を提供するスピーカーを通したものであり得る。ユーザインターフェース機器１３２は、入力インターフェース、デバイスおよび回路、ならびに、出力インターフェース、デバイスおよび回路を含み得る。ユーザインターフェース機器１３２は、無線デバイス１１０への情報の入力を可能にするように設定され、処理回路要素１２０が入力情報を処理することを可能にするために、処理回路要素１２０に接続される。ユーザインターフェース機器１３２は、たとえば、マイクロフォン、近接度または他のセンサー、キー／ボタン、タッチディスプレイ、１つまたは複数のカメラ、ＵＳＢポート、あるいは他の入力回路要素を含み得る。ユーザインターフェース機器１３２はまた、無線デバイス１１０からの情報の出力を可能にするように、および処理回路要素１２０が無線デバイス１１０からの情報を出力することを可能にするように設定される。ユーザインターフェース機器１３２は、たとえば、スピーカー、ディスプレイ、振動回路要素、ＵＳＢポート、ヘッドフォンインターフェース、または他の出力回路要素を含み得る。ユーザインターフェース機器１３２の１つまたは複数の入力および出力インターフェース、デバイス、および回路を使用して、無線デバイス１１０は、エンドユーザおよび／または無線ネットワークと通信し、エンドユーザおよび／または無線ネットワークが本明細書で説明される機能性から利益を得ることを可能にし得る。
【００８０】
補助機器１３４は、概して無線デバイスによって実施されないことがある、より固有の機能性を提供するように動作可能である。これは、様々な目的のために測定を行うための特殊化されたセンサー、有線通信などのさらなるタイプの通信のためのインターフェースなどを備え得る。補助機器１３４の構成要素の包含およびタイプは、実施形態および／またはシナリオに応じて変化し得る。
【００８１】
電源１３６は、いくつかの実施形態では、バッテリーまたはバッテリーパックの形態のものであり得る。外部電源（たとえば、電気コンセント）、光起電力デバイスまたは電池など、他のタイプの電源も使用され得る。無線デバイス１１０は、電源１３６から、本明細書で説明または指示される任意の機能性を行うために電源１３６からの電力を必要とする、無線デバイス１１０の様々な部分に電力を配信するための、電力回路要素１３７をさらに備え得る。電力回路要素１３７は、いくつかの実施形態では、電力管理回路要素を備え得る。電力回路要素１３７は、追加または代替として、外部電源から電力を受信するように動作可能であり得、その場合、無線デバイス１１０は、電力ケーブルなどの入力回路要素またはインターフェースを介して（電気コンセントなどの）外部電源に接続可能であり得る。電力回路要素１３７はまた、いくつかの実施形態では、外部電源から電源１３６に電力を配信するように動作可能であり得る。これは、たとえば、電源１３６の充電のためのものであり得る。電力回路要素１３７は、電源１３６からの電力に対して、その電力を、電力が供給される無線デバイス１１０のそれぞれの構成要素に好適であるようにするために、任意のフォーマッティング、変換、または他の修正を実施し得る。
【００８２】
図２は、本明細書で説明される様々な態様による、ＵＥの一実施形態を示す。本明細書で使用されるユーザ機器またはＵＥは、必ずしも、関連のあるデバイスを所有し、および／または動作させる人間のユーザという意味におけるユーザを有するとは限らない。代わりに、ＵＥは、人間のユーザへの販売、または人間のユーザによる動作を意図されるが、特定の人間のユーザに関連付けられないことがあるか、または特定の人間のユーザに初めに関連付けられないことがある、デバイス（たとえば、スマートスプリンクラーコントローラ）を表し得る。代替的に、ＵＥは、エンドユーザへの販売、またはエンドユーザによる動作を意図されないが、ユーザに関連付けられるか、またはユーザの利益のために動作され得る、デバイス（たとえば、スマート電力計）を表し得る。ＵＥ２００は、ＮＢ−ＩｏＴ  ＵＥ、マシン型通信（ＭＴＣ）ＵＥ、および／または拡張ＭＴＣ（ｅＭＴＣ）ＵＥを含む、第３世代パートナーシッププロジェクト（３ＧＰＰ）によって識別される任意のＵＥであり得る。図２に示されているＵＥ２００は、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定された無線デバイスの一例である。前述のように、無線デバイスおよびＵＥという用語は、互換的に使用され得る。したがって、図２はＵＥであるが、本明細書で説明される構成要素は、無線デバイスに等しく適用可能であり、その逆も同様である。
【００８３】
図２では、ＵＥ２００は、入出力インターフェース２０５、無線周波数（ＲＦ）インターフェース２０９、ネットワーク接続インターフェース２１１、ランダムアクセスメモリ（ＲＡＭ）２１７と読取り専用メモリ（ＲＯＭ）２１９と記憶媒体２２１などとを含むメモリ２１５、通信サブシステム２３１、電源２１３、および／または他の構成要素、あるいはそれらの任意の組合せに動作可能に結合された、処理回路要素２０１を含む。記憶媒体２２１は、オペレーティングシステム２２３と、アプリケーションプログラム２２５と、データ２２７とを含む。他の実施形態では、記憶媒体２２１は、他の同様のタイプの情報を含み得る。いくつかのＵＥは、図２に示されている構成要素のすべてを利用するか、またはそれらの構成要素のサブセットのみを利用し得る。構成要素間の統合のレベルは、ＵＥごとに変化し得る。さらに、いくつかのＵＥは、複数のプロセッサ、メモリ、トランシーバ、送信機、受信機など、構成要素の複数のインスタンスを含んでいることがある。
【００８４】
図２では、処理回路要素２０１は、コンピュータ命令およびデータを処理するように設定され得る。処理回路要素２０１は、（たとえば、ディスクリート論理、ＦＰＧＡ、ＡＳＩＣなどにおける）１つまたは複数のハードウェア実装状態機械など、機械可読コンピュータプログラムとしてメモリに記憶された機械命令を実行するように動作可能な任意の逐次状態機械、適切なファームウェアと一緒のプログラマブル論理、適切なソフトウェアと一緒のマイクロプロセッサまたはデジタル信号プロセッサ（ＤＳＰ）など、１つまたは複数のプログラム内蔵、汎用プロセッサ、あるいは上記の任意の組合せを実装するように設定され得る。たとえば、処理回路要素２０１は、２つの中央処理ユニット（ＣＰＵ）を含み得る。データは、コンピュータによる使用に好適な形式での情報であり得る。
【００８５】
図示された実施形態では、入出力インターフェース２０５は、入力デバイス、出力デバイス、または入出力デバイスに通信インターフェースを提供するように設定され得る。ＵＥ２００は、入出力インターフェース２０５を介して出力デバイスを使用するように設定され得る。出力デバイスは、入力デバイスと同じタイプのインターフェースポートを使用し得る。たとえば、ＵＥ２００への入力およびＵＥ２００からの出力を提供するために、ＵＳＢポートが使用され得る。出力デバイスは、スピーカー、サウンドカード、ビデオカード、ディスプレイ、モニタ、プリンタ、アクチュエータ、エミッタ、スマートカード、別の出力デバイス、またはそれらの任意の組合せであり得る。ＵＥ２００は、ユーザがＵＥ２００に情報をキャプチャすることを可能にするために、入出力インターフェース２０５を介して入力デバイスを使用するように設定され得る。入力デバイスは、タッチセンシティブまたはプレゼンスセンシティブディスプレイ、カメラ（たとえば、デジタルカメラ、デジタルビデオカメラ、ウェブカメラなど）、マイクロフォン、センサー、マウス、トラックボール、方向パッド、トラックパッド、スクロールホイール、スマートカードなどを含み得る。プレゼンスセンシティブディスプレイは、ユーザからの入力を検知するための容量性または抵抗性タッチセンサーを含み得る。センサーは、たとえば、加速度計、ジャイロスコープ、チルトセンサー、力センサー、磁力計、光センサー、近接度センサー、別の同様のセンサー、またはそれらの任意の組合せであり得る。たとえば、入力デバイスは、加速度計、磁力計、デジタルカメラ、マイクロフォン、および光センサーであり得る。
【００８６】
図２では、ＲＦインターフェース２０９は、送信機、受信機、およびアンテナなど、ＲＦ構成要素に通信インターフェースを提供するように設定され得る。ネットワーク接続インターフェース２１１は、ネットワーク２４３ａに通信インターフェースを提供するように設定され得る。ネットワーク２４３ａは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワーク２４３ａは、Ｗｉ−Ｆｉネットワークを備え得る。ネットワーク接続インターフェース２１１は、イーサネット、ＴＣＰ／ＩＰ、ＳＯＮＥＴ、ＡＴＭなど、１つまたは複数の通信プロトコルに従って通信ネットワーク上で１つまたは複数の他のデバイスと通信するために使用される、受信機および送信機インターフェースを含むように設定され得る。ネットワーク接続インターフェース２１１は、通信ネットワークリンク（たとえば、光学的、電気的など）に適した受信機および送信機機能性を実装し得る。送信機および受信機機能は、回路構成要素、ソフトウェアまたはファームウェアを共有し得るか、または、代替的に、別個に実装され得る。
【００８７】
ＲＡＭ２１７は、オペレーティングシステム、アプリケーションプログラム、およびデバイスドライバなど、ソフトウェアプログラムの実行中に、データまたはコンピュータ命令の記憶またはキャッシングを提供するために、バス２０２を介して処理回路要素２０１にインターフェースするように設定され得る。ＲＯＭ２１９は、処理回路要素２０１にコンピュータ命令またはデータを提供するように設定され得る。たとえば、ＲＯＭ２１９は、不揮発性メモリに記憶される、基本入出力（Ｉ／Ｏ）、起動、またはキーボードからのキーストロークの受信など、基本システム機能のための、不変低レベルシステムコードまたはデータを記憶するように設定され得る。記憶媒体２２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、取外し可能カートリッジ、またはフラッシュドライブなど、メモリを含むように設定され得る。一例では、記憶媒体２２１は、オペレーティングシステム２２３と、ウェブブラウザアプリケーション、ウィジェットまたはガジェットエンジン、あるいは別のアプリケーションなどのアプリケーションプログラム２２５と、データファイル２２７とを含むように設定され得る。記憶媒体２２１は、ＵＥ２００による使用のために、多様な様々なオペレーティングシステムまたはオペレーティングシステムの組合せのうちのいずれかを記憶し得る。
【００８８】
記憶媒体２２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、Ｂｌｕ−Ｒａｙ光ディスクドライブ、ホログラフィックデジタルデータ記憶（ＨＤＤＳ）光ディスクドライブ、外部ミニデュアルインラインメモリモジュール（ＤＩＭＭ）、シンクロナスダイナミックランダムアクセスメモリ（ＳＤＲＡＭ）、外部マイクロＤＩＭＭ  ＳＤＲＡＭ、加入者識別モジュールまたはリムーバブルユーザ識別情報（ＳＩＭ／ＲＵＩＭ）モジュールなどのスマートカードメモリ、他のメモリ、またはそれらの任意の組合せなど、いくつかの物理ドライブユニットを含むように設定され得る。記憶媒体２２１は、ＵＥ２００が、一時的または非一時的メモリ媒体に記憶されたコンピュータ実行可能命令、アプリケーションプログラムなどにアクセスすること、データをオフロードすること、またはデータをアップロードすることを可能にし得る。通信システムを利用する製造品などの製造品は、記憶媒体２２１中に有形に具現され得、記憶媒体２２１はデバイス可読媒体を備え得る。
【００８９】
図２では、処理回路要素２０１は、通信サブシステム２３１を使用してネットワーク２４３ｂと通信するように設定され得る。ネットワーク２４３ａとネットワーク２４３ｂとは、同じ１つまたは複数のネットワークまたは異なる１つまたは複数のネットワークであり得る。通信サブシステム２３１は、ネットワーク２４３ｂと通信するために使用される１つまたは複数のトランシーバを含むように設定され得る。たとえば、通信サブシステム２３１は、ＩＥＥＥ８０２．２、ＣＤＭＡ、ＷＣＤＭＡ、ＧＳＭ、ＬＴＥ、ＵＴＲＡＮ、ＷｉＭＡＸなど、１つまたは複数の通信プロトコルに従って、無線アクセスネットワーク（ＲＡＮ）の別の無線デバイス、ＵＥ、または基地局など、無線通信が可能な別のデバイスの１つまたは複数のリモートトランシーバと通信するために使用される、１つまたは複数のトランシーバを含むように設定され得る。各トランシーバは、ＲＡＮリンク（たとえば、周波数割り当てなど）に適した送信機機能性または受信機機能性をそれぞれ実装するための、送信機２３３および／または受信機２３５を含み得る。さらに、各トランシーバの送信機２３３および受信機２３５は、回路構成要素、ソフトウェアまたはファームウェアを共有し得るか、または、代替的に、別個に実装され得る。
【００９０】
示されている実施形態では、通信サブシステム２３１の通信機能は、データ通信、ボイス通信、マルチメディア通信、Ｂｌｕｅｔｏｏｔｈなどの短距離通信、ニアフィールド通信、ロケーションを決定するための全地球測位システム（ＧＰＳ）の使用などのロケーションベース通信、別の同様の通信機能、またはそれらの任意の組合せを含み得る。たとえば、通信サブシステム２３１は、セルラー通信と、Ｗｉ−Ｆｉ通信と、Ｂｌｕｅｔｏｏｔｈ通信と、ＧＰＳ通信とを含み得る。ネットワーク２４３ｂは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワーク２４３ｂは、セルラーネットワーク、Ｗｉ−Ｆｉネットワーク、および／またはニアフィールドネットワークであり得る。電源２１３は、ＵＥ２００の構成要素に交流（ＡＣ）または直流（ＤＣ）電力を提供するように設定され得る。
【００９１】
本明細書で説明される特徴、利益および／または機能は、ＵＥ２００の構成要素のうちの１つにおいて実装されるか、またはＵＥ２００の複数の構成要素にわたって分割され得る。さらに、本明細書で説明される特徴、利益、および／または機能は、ハードウェア、ソフトウェアまたはファームウェアの任意の組合せで実装され得る。一例では、通信サブシステム２３１は、本明細書で説明される構成要素のうちのいずれかを含むように設定され得る。さらに、処理回路要素２０１は、バス２０２上でそのような構成要素のうちのいずれかと通信するように設定され得る。別の例では、そのような構成要素のうちのいずれかは、処理回路要素２０１によって実行されたとき、本明細書で説明される対応する機能を実施する、メモリに記憶されたプログラム命令によって表され得る。別の例では、そのような構成要素のうちのいずれかの機能性は、処理回路要素２０１と通信サブシステム２３１との間で分割され得る。別の例では、そのような構成要素のうちのいずれかの非計算集約的機能が、ソフトウェアまたはファームウェアで実装され得、計算集約的機能がハードウェアで実装され得る。
【００９２】
図３は、いくつかの実施形態によって実装される機能が仮想化され得る、仮想化環境３００を示す概略ブロック図である。本コンテキストでは、仮想化することは、ハードウェアプラットフォーム、記憶デバイスおよびネットワーキングリソースを仮想化することを含み得る、装置またはデバイスの仮想バージョンを作成することを意味する。本明細書で使用される仮想化は、ノード（たとえば、仮想化された基地局または仮想化された無線アクセスノード）に、あるいはデバイス（たとえば、ＵＥ、無線デバイスまたは任意の他のタイプの通信デバイス）またはそのデバイスの構成要素に適用され得、機能性の少なくとも一部分が、（たとえば、１つまたは複数のネットワークにおいて１つまたは複数の物理処理ノード上で実行する、１つまたは複数のアプリケーション、構成要素、機能、仮想マシンまたはコンテナを介して）１つまたは複数の仮想構成要素として実装される、実装形態に関する。
【００９３】
いくつかの実施形態では、本明細書で説明される機能の一部または全部は、ハードウェアノード３３０のうちの１つまたは複数によってホストされる１つまたは複数の仮想環境３００において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【００９４】
（代替的に、ソフトウェアインスタンス、仮想アプライアンス、ネットワーク機能、仮想ノード、仮想ネットワーク機能などと呼ばれることがある）機能は、本明細書で開示される実施形態のうちのいくつかの特徴、機能、および／または利益のうちのいくつかを実装するように動作可能な、１つまたは複数のアプリケーション３２０によって実装され得る。アプリケーション３２０は、処理回路要素３６０とメモリ３９０−１とを備えるハードウェア３３０を提供する、仮想化環境３００において稼働される。メモリ３９０−１は、処理回路要素３６０によって実行可能な命令３９５を含んでおり、それにより、アプリケーション３２０は、本明細書で開示される特徴、利益、および／または機能のうちの１つまたは複数を提供するように動作可能である。
【００９５】
仮想化環境３００は、１つまたは複数のプロセッサのセットまたは処理回路要素３６０を備える、汎用または専用のネットワークハードウェアデバイス３３０を備え、１つまたは複数のプロセッサのセットまたは処理回路要素３６０は、商用オフザシェルフ（ＣＯＴＳ：ｃｏｍｍｅｒｃｉａｌ  ｏｆｆ−ｔｈｅ−ｓｈｅｌｆ）プロセッサ、専用の特定用途向け集積回路（ＡＳＩＣ）、あるいは、デジタルもしくはアナログハードウェア構成要素または専用プロセッサを含む任意の他のタイプの処理回路要素であり得る。各ハードウェアデバイスはメモリ３９０−１を備え得、メモリ３９０−１は、処理回路要素３６０によって実行される命令３９５またはソフトウェアを一時的に記憶するための非永続的メモリであり得る。各ハードウェアデバイスは、ネットワークインターフェースカードとしても知られる、１つまたは複数のネットワークインターフェースコントローラ（ＮＩＣ）３７０を備え得、ネットワークインターフェースコントローラ（ＮＩＣ）３７０は物理ネットワークインターフェース３８０を含む。各ハードウェアデバイスは、処理回路要素３６０によって実行可能なソフトウェア３９５および／または命令を記憶した、非一時的、永続的、機械可読記憶媒体３９０−２をも含み得る。ソフトウェア３９５は、１つまたは複数の（ハイパーバイザとも呼ばれる）仮想化レイヤ３５０をインスタンス化するためのソフトウェア、仮想マシン３４０を実行するためのソフトウェア、ならびに、それが、本明細書で説明されるいくつかの実施形態との関係において説明される機能、特徴および／または利益を実行することを可能にする、ソフトウェアを含む、任意のタイプのソフトウェアを含み得る。
【００９６】
仮想マシン３４０は、仮想処理、仮想メモリ、仮想ネットワーキングまたはインターフェース、および仮想記憶域を備え、対応する仮想化レイヤ３５０またはハイパーバイザによって稼働され得る。仮想アプライアンス３２０の事例の異なる実施形態が、仮想マシン３４０のうちの１つまたは複数上で実装され得、実装は異なるやり方で行われ得る。
【００９７】
動作中に、処理回路要素３６０は、ソフトウェア３９５を実行してハイパーバイザまたは仮想化レイヤ３５０をインスタンス化し、ハイパーバイザまたは仮想化レイヤ３５０は、時々、仮想マシンモニタ（ＶＭＭ）と呼ばれることがある。仮想化レイヤ３５０は、仮想マシン３４０に、ネットワーキングハードウェアのように見える仮想動作プラットフォームを提示し得る。
【００９８】
図３に示されているように、ハードウェア３３０は、一般的なまたは特定の構成要素をもつスタンドアロンネットワークノードであり得る。ハードウェア３３０は、アンテナ３２２５を備え得、仮想化を介していくつかの機能を実装し得る。代替的に、ハードウェア３３０は、多くのハードウェアノードが協働し、特に、アプリケーション３２０のライフサイクル管理を監督する、管理およびオーケストレーション（ＭＡＮＯ）３１００を介して管理される、（たとえば、データセンターまたは顧客構内機器（ＣＰＥ）の場合のような）ハードウェアのより大きいクラスタの一部であり得る。
【００９９】
ハードウェアの仮想化は、いくつかのコンテキストにおいて、ネットワーク機能仮想化（ＮＦＶ）と呼ばれる。ＮＦＶは、多くのネットワーク機器タイプを、データセンターおよび顧客構内機器中に位置し得る、業界標準高ボリュームサーバハードウェア、物理スイッチ、および物理記憶域上にコンソリデートするために使用され得る。
【０１００】
ＮＦＶのコンテキストでは、仮想マシン３４０は、プログラムを、それらのプログラムが、物理的な仮想化されていないマシン上で実行しているかのように稼働する、物理マシンのソフトウェア実装形態であり得る。仮想マシン３４０の各々と、その仮想マシンに専用のハードウェアであろうと、および／またはその仮想マシンによって仮想マシン３４０のうちの他の仮想マシンと共有されるハードウェアであろうと、その仮想マシンを実行するハードウェア３３０のその一部とは、別個の仮想ネットワークエレメント（ＶＮＥ）を形成する。
【０１０１】
さらにＮＦＶのコンテキストでは、仮想ネットワーク機能（ＶＮＦ）は、ハードウェアネットワーキングインフラストラクチャ３３０の上の１つまたは複数の仮想マシン３４０において稼働する固有のネットワーク機能をハンドリングすることを担当し、図３中のアプリケーション３２０に対応する。
【０１０２】
いくつかの実施形態では、各々、１つまたは複数の送信機３２２０と１つまたは複数の受信機３２１０とを含む、１つまたは複数の無線ユニット３２００は、１つまたは複数のアンテナ３２２５に結合され得る。無線ユニット３２００は、１つまたは複数の適切なネットワークインターフェースを介してハードウェアノード３３０と直接通信し得、無線アクセスノードまたは基地局など、無線能力をもつ仮想ノードを提供するために仮想構成要素と組み合わせて使用され得る。
【０１０３】
いくつかの実施形態では、何らかのシグナリングが、ハードウェアノード３３０と無線ユニット３２００との間の通信のために代替的に使用され得る制御システム３２３０を使用して、実現され得る。
【０１０４】
図４を参照すると、一実施形態によれば、通信システムが、無線アクセスネットワークなどのアクセスネットワーク４１１とコアネットワーク４１４とを備える、３ＧＰＰタイプセルラーネットワークなどの通信ネットワーク４１０を含む。アクセスネットワーク４１１は、ＮＢ、ｅＮＢ、ｇＮＢまたは他のタイプの無線アクセスポイントなど、複数の基地局４１２ａ、４１２ｂ、４１２ｃを備え、各々が、対応するカバレッジエリア４１３ａ、４１３ｂ、４１３ｃを規定する。各基地局４１２ａ、４１２ｂ、４１２ｃは、有線接続または無線接続４１５上でコアネットワーク４１４に接続可能である。カバレッジエリア４１３ｃ中に位置する第１のＵＥ４９１が、対応する基地局４１２ｃに無線で接続するか、または対応する基地局４１２ｃによってページングされるように設定される。カバレッジエリア４１３ａ中の第２のＵＥ４９２が、対応する基地局４１２ａに無線で接続可能である。この例では複数のＵＥ４９１、４９２が示されているが、開示される実施形態は、唯一のＵＥがカバレッジエリア中にある状況、または唯一のＵＥが対応する基地局４１２に接続している状況に等しく適用可能である。
【０１０５】
通信ネットワーク４１０は、それ自体、ホストコンピュータ４３０に接続され、ホストコンピュータ４３０は、スタンドアロンサーバ、クラウド実装サーバ、分散型サーバのハードウェアおよび／またはソフトウェアにおいて、あるいはサーバファーム中の処理リソースとして具現され得る。ホストコンピュータ４３０は、サービスプロバイダの所有または制御下にあり得、あるいはサービスプロバイダによってまたはサービスプロバイダに代わって動作され得る。通信ネットワーク４１０とホストコンピュータ４３０との間の接続４２１および４２２は、コアネットワーク４１４からホストコンピュータ４３０に直接延び得るか、または随意の中間ネットワーク４２０を介して進み得る。中間ネットワーク４２０は、パブリックネットワーク、プライベートネットワーク、またはホストされたネットワークのうちの１つ、またはそれらのうちの２つ以上の組合せであり得、中間ネットワーク４２０は、もしあれば、バックボーンネットワークまたはインターネットであり得、特に、中間ネットワーク４２０は、２つまたはそれ以上のサブネットワーク（図示せず）を備え得る。
【０１０６】
図４の通信システムは全体として、接続されたＵＥ４９１、４９２とホストコンピュータ４３０との間のコネクティビティを可能にする。コネクティビティは、オーバーザトップ（ＯＴＴ）接続４５０として説明され得る。ホストコンピュータ４３０および接続されたＵＥ４９１、４９２は、アクセスネットワーク４１１、コアネットワーク４１４、任意の中間ネットワーク４２０、および考えられるさらなるインフラストラクチャ（図示せず）を媒介として使用して、ＯＴＴ接続４５０を介して、データおよび／またはシグナリングを通信するように設定される。ＯＴＴ接続４５０は、ＯＴＴ接続４５０が通過する、参加する通信デバイスが、アップリンクおよびダウンリンク通信のルーティングに気づいていないという意味で、透過的であり得る。たとえば、基地局４１２は、接続されたＵＥ４９１にフォワーディング（たとえば、ハンドオーバ）されるべき、ホストコンピュータ４３０から発生したデータを伴う着信ダウンリンク通信の過去のルーティングについて、通知されないことがあるかまたは通知される必要がない。同様に、基地局４１２は、ＵＥ４９１から発生してホストコンピュータ４３０に向かう発信アップリンク通信の将来ルーティングに気づいている必要がない。
【０１０７】
次に、一実施形態による、前の段落において説明されたＵＥ、基地局およびホストコンピュータの例示的な実装形態が、図５を参照しながら説明される。通信システム５００では、ホストコンピュータ５１０が、通信システム５００の異なる通信デバイスのインターフェースとの有線接続または無線接続をセットアップおよび維持するように設定された通信インターフェース５１６を含む、ハードウェア５１５を備える。ホストコンピュータ５１０は、記憶能力および／または処理能力を有し得る、処理回路要素５１８をさらに備える。特に、処理回路要素５１８は、１つまたは複数のプログラマブルプロセッサ、特定用途向け集積回路、フィールドプログラマブルゲートアレイ、または、命令を実行するように適応されたこれらの組合せ（図示せず）を備え得る。ホストコンピュータ５１０は、ホストコンピュータ５１０に記憶されるかまたはホストコンピュータ５１０によってアクセス可能であり、処理回路要素５１８によって実行可能である、ソフトウェア５１１をさらに備える。ソフトウェア５１１は、ホストアプリケーション５１２を含む。ホストアプリケーション５１２は、ＵＥ５３０およびホストコンピュータ５１０において終端するＯＴＴ接続５５０を介して接続するＵＥ５３０など、リモートユーザにサービスを提供するように動作可能であり得る。リモートユーザにサービスを提供する際に、ホストアプリケーション５１２は、ＯＴＴ接続５５０を使用して送信されるユーザデータを提供し得る。
【０１０８】
通信システム５００は、通信システム中に提供される基地局５２０をさらに含み、基地局５２０は、基地局５２０がホストコンピュータ５１０およびＵＥ５３０と通信することを可能にするハードウェア５２５を備える。ハードウェア５２５は、通信システム５００の異なる通信デバイスのインターフェースとの有線接続または無線接続をセットアップおよび維持するための通信インターフェース５２６、ならびに基地局５２０によってサーブされるカバレッジエリア（図５に図示せず）中に位置するＵＥ５３０との少なくとも無線接続５７０をセットアップおよび維持するための無線インターフェース５２７を含み得る。通信インターフェース５２６は、ホストコンピュータ５１０への接続５６０を容易にするように設定され得る。接続５６０は直接であり得るか、あるいは、接続５６０は、通信システムのコアネットワーク（図５に図示せず）を、および／または通信システムの外部の１つまたは複数の中間ネットワークを通過し得る。図示の実施形態では、基地局５２０のハードウェア５２５は、処理回路要素５２８をさらに含み、処理回路要素５２８は、１つまたは複数のプログラマブルプロセッサ、特定用途向け集積回路、フィールドプログラマブルゲートアレイ、または、命令を実行するように適応されたこれらの組合せ（図示せず）を備え得る。基地局５２０は、内部的に記憶されるかまたは外部接続を介してアクセス可能なソフトウェア５２１をさらに有する。
【０１０９】
通信システム５００は、すでに言及されたＵＥ５３０をさらに含む。ＵＥ５３０のハードウェア５３５は、ＵＥ５３０が現在位置するカバレッジエリアをサーブする基地局との無線接続５７０をセットアップおよび維持するように設定された、無線インターフェース５３７を含み得る。ＵＥ５３０のハードウェア５３５は、処理回路要素５３８をさらに含み、処理回路要素５３８は、１つまたは複数のプログラマブルプロセッサ、特定用途向け集積回路、フィールドプログラマブルゲートアレイ、または、命令を実行するように適応されたこれらの組合せ（図示せず）を備え得る。ＵＥ５３０は、ＵＥ５３０に記憶されるかまたはＵＥ５３０によってアクセス可能であり、処理回路要素５３８によって実行可能である、ソフトウェア５３１をさらに備える。ソフトウェア５３１は、クライアントアプリケーション５３２を含む。クライアントアプリケーション５３２は、ホストコンピュータ５１０のサポートのもとに、ＵＥ５３０を介して人間のまたは人間でないユーザにサービスを提供するように動作可能であり得る。ホストコンピュータ５１０では、実行しているホストアプリケーション５１２は、ＵＥ５３０およびホストコンピュータ５１０において終端するＯＴＴ接続５５０を介して、実行しているクライアントアプリケーション５３２と通信し得る。ユーザにサービスを提供する際に、クライアントアプリケーション５３２は、ホストアプリケーション５１２から要求データを受信し、要求データに応答してユーザデータを提供し得る。ＯＴＴ接続５５０は、要求データとユーザデータの両方を転送し得る。クライアントアプリケーション５３２は、クライアントアプリケーション５３２が提供するユーザデータを生成するためにユーザと対話し得る。
【０１１０】
図５に示されているホストコンピュータ５１０、基地局５２０およびＵＥ５３０は、それぞれ、図４のホストコンピュータ４３０、基地局４１２ａ、４１２ｂ、４１２ｃのうちの１つ、およびＵＥ４９１、４９２のうちの１つと同様または同等であり得ることに留意されたい。つまり、これらのエンティティの内部の働きは、図５に示されているものであり得、別個に、周囲のネットワークトポロジーは、図４のものであり得る。
【０１１１】
図５では、ＯＴＴ接続５５０は、仲介デバイスとこれらのデバイスを介したメッセージの正確なルーティングとへの明示的言及なしに、基地局５２０を介したホストコンピュータ５１０とＵＥ５３０との間の通信を示すために抽象的に描かれている。ネットワークインフラストラクチャが、ルーティングを決定し得、ネットワークインフラストラクチャは、ＵＥ５３０からまたはホストコンピュータ５１０を動作させるサービスプロバイダから、またはその両方からルーティングを隠すように設定され得る。ＯＴＴ接続５５０がアクティブである間、ネットワークインフラストラクチャは、さらに、ネットワークインフラストラクチャが（たとえば、ネットワークの負荷分散考慮または再設定に基づいて）ルーティングを動的に変更する決定を行い得る。
【０１１２】
ＵＥ５３０と基地局５２０との間の無線接続５７０は、本開示全体にわたって説明される実施形態の教示に従う。様々な実施形態のうちの１つまたは複数は、無線接続５７０が最後のセグメントを形成するＯＴＴ接続５５０を使用して、ＵＥ５３０に提供されるＯＴＴサービスの性能を改善する。より正確には、これらの実施形態の教示は、データレートを改善し、それにより、低減されたユーザ待ち時間およびより良好な応答性などの利益を提供し得る。
【０１１３】
１つまたは複数の実施形態が改善する、データレート、レイテンシおよび他のファクタを監視する目的での、測定プロシージャが提供され得る。測定結果の変動に応答して、ホストコンピュータ５１０とＵＥ５３０との間のＯＴＴ接続５５０を再設定するための随意のネットワーク機能性がさらにあり得る。測定プロシージャおよび／またはＯＴＴ接続５５０を再設定するためのネットワーク機能性は、ホストコンピュータ５１０のソフトウェア５１１およびハードウェア５１５でまたはＵＥ５３０のソフトウェア５３１およびハードウェア５３５で、またはその両方で実装され得る。実施形態では、ＯＴＴ接続５５０が通過する通信デバイスにおいてまたはそれに関連して、センサー（図示せず）が展開され得、センサーは、上記で例示された監視された量の値を供給すること、またはソフトウェア５１１、５３１が監視された量を算出または推定し得る他の物理量の値を供給することによって、測定プロシージャに参加し得る。ＯＴＴ接続５５０の再設定は、メッセージフォーマット、再送信セッティング、好ましいルーティングなどを含み得、再設定は、基地局５２０に影響を及ぼす必要がなく、再設定は、基地局５２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータ５１０の測定を容易にするプロプライエタリＵＥシグナリングを伴い得る。測定は、ソフトウェア５１１および５３１が、ソフトウェア５１１および５３１が伝搬時間、エラーなどを監視する間にＯＴＴ接続５５０を使用して、メッセージ、特に空のまたは「ダミー」メッセージが送信されることを引き起こすことにおいて、実装され得る。
【０１１４】
図６は、一実施形態による、通信システムにおいて実装される方法を示すフローチャートである。通信システムは、図４および図５を参照しながら説明されたものであり得る、ホストコンピュータと基地局とＵＥとを含む。本開示の簡単のために、図６への図面参照のみがこのセクションに含まれる。ステップ６１０において、ホストコンピュータはユーザデータを提供する。ステップ６１０の（随意であり得る）サブステップ６１１において、ホストコンピュータは、ホストアプリケーションを実行することによって、ユーザデータを提供する。ステップ６２０において、ホストコンピュータは、ＵＥにユーザデータを搬送する送信を始動する。（随意であり得る）ステップ６３０において、基地局は、本開示全体にわたって説明される実施形態の教示に従って、ホストコンピュータが始動した送信において搬送されたユーザデータをＵＥに送信する。（また、随意であり得る）ステップ６４０において、ＵＥは、ホストコンピュータによって実行されるホストアプリケーションに関連付けられたクライアントアプリケーションを実行する。
【０１１５】
図７は、一実施形態による、通信システムにおいて実装される方法を示すフローチャートである。通信システムは、図４および図５を参照しながら説明されたものであり得る、ホストコンピュータと基地局とＵＥとを含む。本開示の簡単のために、図７への図面参照のみがこのセクションに含まれる。方法のステップ７１０において、ホストコンピュータはユーザデータを提供する。随意のサブステップ（図示せず）において、ホストコンピュータは、ホストアプリケーションを実行することによって、ユーザデータを提供する。ステップ７２０において、ホストコンピュータは、ＵＥにユーザデータを搬送する送信を始動する。送信は、本開示全体にわたって説明される実施形態の教示に従って、基地局を介して進み得る。（随意であり得る）ステップ７３０において、ＵＥは、送信において搬送されたユーザデータを受信する。
【０１１６】
図８は、一実施形態による、通信システムにおいて実装される方法を示すフローチャートである。通信システムは、図４および図５を参照しながら説明されたものであり得る、ホストコンピュータと基地局とＵＥとを含む。本開示の簡単のために、図８への図面参照のみがこのセクションに含まれる。（随意であり得る）ステップ８１０において、ＵＥは、ホストコンピュータによって提供された入力データを受信する。追加または代替として、ステップ８２０において、ＵＥはユーザデータを提供する。ステップ８２０の（随意であり得る）サブステップ８２１において、ＵＥは、クライアントアプリケーションを実行することによって、ユーザデータを提供する。ステップ８１０の（随意であり得る）サブステップ８１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、（随意であり得る）サブステップ８３０において、ホストコンピュータへのユーザデータの送信を始動する。方法のステップ８４０において、ホストコンピュータは、本開示全体にわたって説明される実施形態の教示に従って、ＵＥから送信されたユーザデータを受信する。
【０１１７】
図９は、一実施形態による、通信システムにおいて実装される方法を示すフローチャートである。通信システムは、図４および図５を参照しながら説明されたものであり得る、ホストコンピュータと基地局とＵＥとを含む。本開示の簡単のために、図９への図面参照のみがこのセクションに含まれる。（随意であり得る）ステップ９１０において、本開示全体にわたって説明される実施形態の教示に従って、基地局は、ＵＥからユーザデータを受信する。（随意であり得る）ステップ９２０において、基地局は、ホストコンピュータへの、受信されたユーザデータの送信を始動する。（随意であり得る）ステップ９３０において、ホストコンピュータは、基地局によって始動された送信において搬送されたユーザデータを受信する。
【０１１８】
本明細書で開示される任意の適切なステップ、方法、特徴、機能、または利益は、１つまたは複数の仮想装置の１つまたは複数の機能ユニットまたはモジュールを通して実施され得る。各仮想装置は、いくつかのこれらの機能ユニットを備え得る。これらの機能ユニットは、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを介して実装され得る。処理回路要素は、読取り専用メモリ（ＲＯＭ）、ランダムアクセスメモリ（ＲＡＭ）、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、１つまたは複数の通信および／またはデータ通信プロトコルを実行するためのプログラム命令、ならびに本明細書で説明される技法のうちの１つまたは複数を行うための命令を含む。いくつかの実装形態では、処理回路要素は、それぞれの機能ユニットに、本開示の１つまたは複数の実施形態による、対応する機能を実施させるために使用され得る。
【０１１９】
図１０は、無線デバイス１１０または２００など、無線デバイスによって実施される方法を図示する。特定の実施形態によれば、方法は、ステップ１００２において始まり、複数のテーブルから選択される１つまたは複数のテーブルを使用することを決定する。テーブルのうちの少なくとも１つは、複数のＭＣＳテーブルから選択されるＭＣＳテーブル、または複数のＣＱＩテーブルから選択されるＣＱＩテーブルを含む。１つまたは複数のテーブルは、ビットフィールドＤＣＩ、ＤＣＩタイプ、および／または設定されたターゲットＢＬＥＲのうちの少なくとも１つに基づいて選択される。方法は、ステップ１００４に進み、選択された１つまたは複数のテーブルに従って無線デバイスの１つまたは複数の動作を実施する。いくつかの実施形態では、そのような動作の例は、ポーリングされたＣＱＩ動作および／またはｅＮＢ／ｇＮＢスケジューリングを含み得る。
【０１２０】
図１１は、ネットワークノード１６０など、ネットワークノードによって実施され得る方法を図示する。特定の実施形態によれば、方法は、ステップ１１１２において始まり、無線デバイスの能力の指示を無線デバイスから受信する。指示された能力は、無線デバイスのターゲットＢＬＥＲ能力、ＭＣＳテーブル能力、および／またはＣＱＩテーブル能力を含む。方法は、ステップ１１１４に進み、複数のテーブルから１つまたは複数のテーブルを選択するための情報を無線デバイスに送る。テーブルのうちの少なくとも１つは、複数のＭＣＳテーブルから選択されるＭＣＳテーブル、または複数のＣＱＩテーブルから選択されるＣＱＩテーブルを含む。１つまたは複数のテーブルを選択するための無線デバイスに送られる情報は、受信された能力に基づき、ＤＣＩ中のビットフィールド、ＤＣＩタイプ、および／またはターゲットＢＬＥＲに関連付けられた設定を含む。他の実施形態では、ステップ１１１２は随意であり得る。たとえば、無線デバイスから無線デバイス能力を受信しなければならないのではなく、ネットワークノードは、記憶された情報に基づいて、または（無線デバイスが、たとえば無線デバイスによって別段に指示されない限り、システムのために規定された能力のすべてをサポートすると仮定するルールなどの）あらかじめ規定されたルールに基づいて、無線デバイス能力を決定し得る。
【０１２１】
図１２は、無線ネットワーク（たとえば、図１に示されている無線ネットワーク）における装置１２００の概略ブロック図を示す。装置は、無線デバイスまたはネットワークノード（たとえば、図１に示されている無線デバイス１１０またはネットワークノード１６０）において実装され得る。装置１２００は、図１０、図１１、図１３ａ、図１３ｂ、または図１４に関して説明される例示的な方法、および、場合によっては、本明細書で開示される任意の他のプロセスまたは方法を行うように動作可能である。また、図１０、図１１、図１３ａ、図１３ｂ、および図１４で説明される方法の各々は、必ずしも装置１２００のみによって行われるとは限らないことを理解されたい。その方法の少なくともいくつかの動作は、１つまたは複数の他のエンティティによって実施され得る。
【０１２２】
仮想装置１２００は、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを備え得る。処理回路要素は、読取り専用メモリ（ＲＯＭ）、ランダムアクセスメモリ、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、いくつかの実施形態では、１つまたは複数の通信および／またはデータ通信プロトコルを実行するためのプログラム命令、ならびに本明細書で説明される技法のうちの１つまたは複数を行うための命令を含む。いくつかの実装形態では、処理回路要素は、ターゲットＢＬＥＲ設定ユニット１２０２、テーブル選択ユニット１２０４、テーブル設定ユニット１２０６、および装置１２００の任意の他の好適なユニットに、本開示の１つまたは複数の実施形態による、対応する機能を実施させるために使用され得る。
【０１２３】
図１２に示されているように、装置１２００は、ターゲットＢＬＥＲ設定ユニット１２０２と、テーブル選択ユニット１２０４と、テーブル設定ユニット１２０６とを含む。いくつかの実施形態では、ターゲットＢＬＥＲ設定ユニット１２０２は、無線デバイスのためのターゲットＢＬＥＲを設定するように動作可能である。一例として、いくつかの実施形態では、ターゲットＢＬＥＲ設定ユニット１２０２は、ＢＬＥＲ０、ＢＬＥＲ１、およびＢＬＥＲ２から選択される、ターゲットＢＬＥＲに対応する動作モードを可能にする。テーブル選択ユニット１２０４は、ＱＣＩテーブルおよび／またはＭＣＳテーブルを複数のＱＣＩ／ＭＣＳテーブルから選択する。いくつかの実施形態では、選択は、ターゲットＢＬＥＲ設定ユニット１２０２によって設定されたターゲットＢＬＥＲに少なくとも部分的に基づき得る。テーブル設定ユニット１２０６は、テーブル選択ユニット１２０４によって選択されたテーブルに従って動作を実施するように無線デバイスを設定することを容易にする。たとえば、無線デバイスにおいて動作するいくつかの実施形態では、テーブル設定ユニット１２０６は、テーブル選択ユニット１２０４によって選択されたテーブルを適用する。別の例として、ネットワークノードにおいて動作するいくつかの実施形態では、テーブル設定ユニット１２０６は、テーブル選択ユニット１２０４によって選択されたテーブルを無線デバイスに適用させる、（ＤＣＩフィールドまたはＤＣＩタイプなどの）無線デバイスに送るべき情報を生成する。
【０１２４】
ユニットという用語は、エレクトロニクス、電気デバイス、および／または電子デバイスの分野での通常の意味を有し得、たとえば、本明細書で説明されるものなど、それぞれのタスク、プロシージャ、算出、出力、および／または表示機能を行うための、電気および／または電子回路要素、デバイス、モジュール、プロセッサ、メモリ、論理固体および／または個別デバイス、コンピュータプログラムまたは命令などを含み得る。
【０１２５】
いくつかの実施形態では、コンピュータプログラム、コンピュータプログラム製品またはコンピュータ可読記憶媒体は、コンピュータ上で実行されたとき、本明細書で開示される実施形態のうちのいずれかを実施する命令を備える。さらなる例では、命令は、信号またはキャリア上で搬送され、それはコンピュータ上で実行可能であり、実行されたとき、本明細書で開示される実施形態のうちのいずれかを実施する。
【０１２６】
図１３ａおよび図１３ｂは、各々、いくつかの実施形態による、上記で説明された無線デバイス１１０など、無線デバイスによって実施され得る方法の一例を示す。いくつかの実施形態では、方法は、ステップ１０において始まり得、無線デバイスの能力を指示する指示を（たとえば、ネットワークノード１６０を介して）ネットワークに送る。ステップ１０において送られ得る無線デバイス能力の例は、無線デバイスのターゲットＢＬＥＲ能力、ＭＣＳテーブル能力、および／またはＣＱＩテーブル能力を含む。能力は、たとえばサービス能力に基づいて、暗黙的に指示され得るか、または明示的に指示され得る。
【０１２７】
ステップ１２において、方法は、通信サービスに対応する指示を受信する。一例として、指示は、たとえばＲＲＣまたはＤＣＩシグナリングを介して、ネットワークノードから受信され得、無線デバイスが、ＭＣＳおよび／またはＣＱＩテーブルを、複数の規定されたＭＣＳおよび／またはＣＱＩテーブルから識別することを可能にし得る。図１４に関して説明されるように、いくつかの実施形態では、指示は、ステップ１０において無線デバイスがネットワークに送った無線デバイス能力の指示に少なくとも部分的に基づいて、ネットワークノードによって準備され得る。
【０１２８】
いくつかの実施形態では、ステップ１２において受信された指示は、高信頼性要件および／または低レイテンシ要件を伴う通信サービスに対応する。いくつかの実施形態では、受信された指示は、低いターゲットＢＬＥＲを有するモード、高信頼性要件を有するモード、および／または低レイテンシ要件を有するモードなど、設定されたモードを含む。無線デバイスは、ＭＣＳおよび／またはＣＱＩテーブルを識別するためにモードの指示を使用し得る。
【０１２９】
ステップ１４において、方法は、ステップ１２において受信された指示に基づいて、ＭＣＳおよび／またはＣＱＩテーブルを、複数の規定されたＭＣＳおよび／またはＣＱＩテーブルから識別する。ＭＣＳおよび／またはＣＱＩテーブルは、概要セクションで説明される例、グループＡの実施形態で説明される例など、本開示で記載される例のうちのいずれかに従って識別され得る。
【０１３０】
いくつかの実施形態では、方法は、ステップ１６に進み、（１つまたは複数の）識別されたテーブルから情報を選択する。図１３ａは、ステップ１４において識別されたテーブルのうちの少なくとも１つが、ＭＣＳテーブルを含み、方法が、ステップ１６ａにおいて、識別されたＭＣＳテーブルから変調符号化方式を選択する、一例を示す。図１３ｂは、ステップ１４において識別されたテーブルのうちの少なくとも１つが、ＣＱＩテーブルを含み、方法が、ステップ１６ｂにおいて、識別されたＣＱＩテーブルからチャネル品質指示を選択する、一例を示す。
【０１３１】
ステップ１８において、方法は、通信サービス中に、識別されたＭＣＳおよび／またはＣＱＩテーブルを使用し得る。たとえば、方法は、通信サービスに関連付けられた動作を実施するとき、ステップ１６ａにおいて選択されたＭＣＳ、またはステップ１６ｂにおいて識別されたＣＱＩを使用し得る。
【０１３２】
図１４は、いくつかの実施形態による、上記で説明されたネットワークノード１６０など、ネットワークノードによって実施され得る方法の一例を示す。いくつかの実施形態では、方法は、ステップ２０において始まり得、情報を無線デバイスから受信する。その情報は、無線デバイスの能力を指示する。そのような能力の例は、無線デバイスのターゲットＢＬＥＲ能力、ＭＣＳテーブル能力、および／またはＣＱＩテーブル能力を含む。無線デバイスは、たとえばサービス能力に基づいて、暗黙的に能力を指示するか、または明示的に能力を指示し得る。
【０１３３】
ステップ２２において、方法は、無線デバイスに関連する通信サービスを決定する。以下でさらに説明されるように、ネットワークノードは、次いで、無線デバイスが、通信セッションに関連付けられた動作を実施するとき、識別されたテーブルから取得された情報を使用することができるように、無線デバイスが、ＭＣＳおよび／またはＣＱＩテーブルを識別することを可能にし得る。
【０１３４】
ステップ２４において、いくつかの実施形態では、方法は、無線デバイスの１つまたは複数の能力を決定する。いくつかの実施形態では、能力は、ステップ２０において受信された情報に少なくとも部分的に基づいて決定され得る。一例として、いくつかの実施形態では、無線デバイスのサービス能力を指示する情報が、ステップ２０において受信され得、その情報は、ステップ２４において、無線デバイスのターゲットＢＬＥＲ能力、ＭＣＳテーブル能力、および／またはＣＱＩテーブル能力を決定するために使用され得る。別の例として、いくつかの実施形態では、ステップ２０において受信された情報は、ターゲットＢＬＥＲ能力、ＭＣＳテーブル能力、および／またはＣＱＩテーブル能力を明示的に含み得、方法は、ステップ２６に関して以下で説明される指示を準備するとき、これらの能力のうちの１つまたは複数を考慮することを決定し得る。さらに、または代替として、いくつかの実施形態では、無線デバイスの能力は、ネットワークノードによって記憶された、または別のネットワークノードから取得された情報から、少なくとも部分的に決定され得る。
【０１３５】
いくつかの実施形態では、方法は、ステップ２６において、通信サービスに対応する指示を準備することをさらに含む。その指示は、無線デバイスが、ＭＣＳおよび／またはＣＱＩテーブルを、複数の規定されたＭＣＳおよび／またはＣＱＩテーブルから識別することを可能にする。いくつかの実施形態では、指示は、ステップ２４において無線デバイスについて決定された１つまたは複数の能力に基づいて、準備され得る。
【０１３６】
ステップ２８において、方法は、通信サービスに対応する指示（たとえば、ステップ２６において準備された指示）を無線デバイスに送る。その指示は、無線デバイスが、ＭＣＳおよび／またはＣＱＩテーブルを、複数の規定されたＭＣＳおよび／またはＣＱＩテーブルから識別することを可能にする。上記でさらに説明されたように、およびグループＢの実施形態でさらに説明されるように、いくつかの実施形態では、指示は、ＲＲＣシグナリングまたはＤＣＩシグナリング中で送られ得る。
【０１３７】
例
【０１３８】
グループＡの例
グループＡ、例Ａ．無線デバイスによって実施される方法であって、方法は、
−  複数のテーブルから選択される１つまたは複数のテーブルを使用することを決定することであって、テーブルのうちの少なくとも１つが、複数の変調符号化方式（ＭＣＳ）テーブルから選択されるＭＣＳテーブル、または複数のチャネル品質インジケータ（ＣＱＩ）テーブルから選択されるＣＱＩテーブルを含み、１つまたは複数のテーブルが、ダウンリンク制御情報（ＤＣＩ）中のビットフィールド、ＤＣＩタイプ、および／または設定されたターゲットブロック誤り率（ＢＬＥＲ）のうちの少なくとも１つに基づいて選択される、１つまたは複数のテーブルを使用することを決定することと、
−  選択された１つまたは複数のテーブルに従って無線デバイスの１つまたは複数の動作を実施することと
を含む、方法。
グループＡ、例Ｂ．
−  無線デバイスの能力を指示する指示をネットワークに送ることであって、指示された能力が、無線デバイスのターゲットＢＬＥＲ能力、ＭＣＳテーブル能力、および／またはＣＱＩテーブル能力を含む、指示をネットワークに送ること
をさらに含む、前の例に記載の方法。
グループＡ、例Ｃ．能力が、サービス能力に基づいて暗黙的に指示される、前の例に記載の方法。
グループＡ、例Ｄ．能力が、ネットワークへの明示的シグナリングを使用して指示される、グループＡ、例Ｂに記載の方法。
グループＡ、例Ｅ．能力を送ることは、無線デバイスが、システムにおいて規定されたすべての可能なターゲットＢＬＥＲ能力、ＭＣＳテーブル能力、および／またはＣＱＩテーブル能力をサポートするとは限らないと決定することに応答して実施される、グループＡ、例Ｂ〜Ｄのいずれか１つに記載の方法。
グループＡ、例Ｆ．複数のターゲットＢＬＥＲのうちの１つで無線デバイスを設定することと、設定されたターゲットＢＬＥＲに対応するテーブルを選択することとをさらに含む、前の例のいずれか１つに記載の方法。
グループＡ、例Ｇ．ネットワークからの無線リソース制御（ＲＲＣ）シグナリングに基づいて、複数のターゲットＢＬＥＲのうちのどのターゲットＢＬＥＲを設定すべきかを決定することをさらに含む、グループＡ、例Ｆに記載の方法。
グループＡ、例Ｈ．ハイブリッド自動再送要求（ＨＡＲＱ）送信の最大許容数、サブキャリアスペーシング（ヌメロロジー）、送信時間間隔、ミニスロット持続時間、および／または超高信頼低レイテンシ通信（ＵＲＬＬＣ）能力のうちの１つまたは複数に基づいて、複数のターゲットＢＬＥＲのうちのどのターゲットＢＬＥＲを設定すべきかを決定することをさらに含む、グループＡ、例Ｆに記載の方法。
グループＡ、例Ｉ．１つまたは複数のテーブルを決定することは、無線デバイスが、低いターゲットＢＬＥＲを有するあらかじめ規定されたモードに従って設定されたとき、第１のターゲットＢＬＥＲに対応する第１のＣＱＩテーブルと、第２のターゲットＢＬＥＲに対応する第２のＣＱＩテーブルと、第１のターゲットＢＬＥＲに対応する第１のＭＣＳテーブルと、第２のターゲットＢＬＥＲに対応する第２のＭＣＳテーブルとを設定することをさらに含む、前の例のいずれか１つに記載の方法。
グループＡ、例Ｊ．１つまたは複数のテーブルを決定することは、無線デバイスが、低いターゲットＢＬＥＲを有するあらかじめ規定されたモードに従って設定されたとき、１つのＣＱＩテーブルのみを設定することをさらに含む、グループＡ、例Ａ〜Ｈのいずれか１つに記載の方法。
グループＡ、例Ｋ．無線デバイスが、周期ＣＳＩ動作のために設定されたとき、１つのＣＱＩテーブルのみを使用する、グループＡ、例Ｊに記載の方法。
グループＡ、例Ｌ．複数のＣＱＩテーブルのうちのどれを使用すべきかを決定することが、ポーリングされたＣＱＩ動作においてどのＣＱＩテーブルを使用すべきかを指示するＤＣＩ中のビットフィールドに基づき、複数のＭＣＳテーブルのうちのどれを使用すべきかを決定することが、ポーリングされたＣＱＩ動作においてどのＣＱＩテーブルを使用すべきかを指示するＤＣＩ中の同じビットフィールドに基づく、前の例のいずれか１つに記載の方法。
グループＡ、例Ｍ．複数のＣＱＩテーブルのうちのどれを使用すべきかを決定することが、ポーリングされたＣＱＩ動作においてどのＣＱＩテーブルを使用すべきかを指示するＤＣＩ中の第１のビットフィールドに基づき、複数のＭＣＳテーブルのうちのどれを使用すべきかを決定することが、ネットワークノードスケジューリングのためにどのＭＣＳテーブルを使用すべきかを指示するＤＣＩ中の第２のビットフィールドに基づく、前の例のいずれか１つに記載の方法。
グループＡ、例Ｎ．ＣＱＩテーブルが第１のターゲットＢＬＥＲに対応し、ＭＣＳテーブルが第２のターゲットＢＬＥＲに対応する、前の例のいずれか１つに記載の方法。
グループＡ、例Ｏ．ＤＣＩフォーマット（たとえば、フォールバックＤＣＩまたはコンパクトＤＣＩ）に基づいて、複数のターゲットＢＬＥＲのうちのどのターゲットＢＬＥＲを使用すべきかを決定することと、ターゲットＢＬＥＲに対応するＭＣＳおよびＣＱＩテーブルを使用することとをさらに含む、前の例のいずれか１つに記載の方法。
グループＡ、例Ｐ．無線デバイスが、第１のＤＣＩフォーマットに関連付けられた第１のＢＬＥＲターゲットと、第２のＤＣＩフォーマットに関連付けられた第２のＢＬＥＲターゲットとで設定され、
−  第１のＤＣＩフォーマットを受信すると、無線デバイスが、第１のＢＬＥＲターゲットに対応するテーブルを使用し、
−  第２のＤＣＩフォーマットを受信すると、無線デバイスが、第２のＢＬＥＲターゲットに対応するテーブルを使用する、
前の例のいずれか１つに記載の方法。
グループＡ、例Ｑ．
−  ユーザデータを提供することと、
−  基地局への送信を介してユーザデータをホストコンピュータにフォワーディングすることと
をさらに含む、前の例のいずれか１つに記載の方法。
【０１３９】
グループＢの例
グループＢ、例Ａ．基地局によって実施される方法であって、方法は、
−  無線デバイスの能力の指示を無線デバイスから受信することであって、指示された能力が、無線デバイスのターゲットＢＬＥＲ能力、ＭＣＳテーブル能力、および／またはＣＱＩテーブル能力を含む、指示を無線デバイスから受信することと、
−  受信された能力に基づいて、複数のテーブルから１つまたは複数のテーブルを選択するための情報を無線デバイスに送ることであって、テーブルのうちの少なくとも１つが、複数のＭＣＳテーブルから選択されるＭＣＳテーブル、または複数のＣＱＩテーブルから選択されるＣＱＩテーブルを含み、１つまたは複数のテーブルを選択するための無線デバイスに送られる情報が、ＤＣＩ中のビットフィールド、ＤＣＩタイプ、および／またはターゲットＢＬＥＲに関連付けられた設定を含む、情報を無線デバイスに送ることと
を含む、方法。
グループＢ、例Ｂ．能力が、サービス能力に基づく暗黙的指示を介して受信される、前の例に記載の方法。
グループＢ、例Ｃ．能力が、無線デバイスからの明示的シグナリングを介して受信される、グループＢ、例Ａに記載の方法。
グループＢ、例Ｄ．１つまたは複数のテーブルを選択するための情報が、ターゲットＢＬＥＲ設定を含み、そのターゲットＢＬＥＲ設定に基づいて、無線デバイスが、ターゲットＢＬＥＲに対応するテーブルを使用するべきである、前の例のいずれか１つに記載の方法。
グループＢ、例Ｅ．ターゲットＢＬＥＲが、無線デバイスに送られた無線リソース制御（ＲＲＣ）シグナリングを介して設定される、グループＢ、例Ｄに記載の方法。
グループＢ、例Ｆ．ターゲットＢＬＥＲが、ハイブリッド自動再送要求（ＨＡＲＱ）送信の最大許容数、サブキャリアスペーシング（ヌメロロジー）、送信時間間隔、ミニスロット持続時間、および／または超高信頼低レイテンシ通信（ＵＲＬＬＣ）能力のうちの１つまたは複数を設定することに基づいて設定される、グループＢ、例Ｄに記載の方法。
グループＢ、例Ｇ．無線デバイスに送られた情報が、低いターゲットＢＬＥＲを有するあらかじめ規定されたモードに従って無線デバイスを設定し、それにより、無線デバイスに、第１のターゲットＢＬＥＲに対応する第１のＣＱＩテーブルと、第２のターゲットＢＬＥＲに対応する第２のＣＱＩテーブルと、第１のターゲットＢＬＥＲに対応する第１のＭＣＳテーブルと、第２のターゲットＢＬＥＲに対応する第２のＭＣＳテーブルとを設定させる、前の例のいずれか１つに記載の方法。
グループＢ、例Ｈ．無線デバイスに送られた情報が、低いターゲットＢＬＥＲを有するあらかじめ規定されたモードに従って無線デバイスを設定し、それにより、無線デバイスに１つのＣＱＩテーブルのみを設定させる、例グループＢ、例Ａ〜Ｆのいずれか１つに記載の方法。
グループＢ、例Ｉ．無線デバイスに送られた情報が、低いターゲットＢＬＥＲを有するあらかじめ規定されたモードに従って無線デバイスを設定し、それにより、無線デバイスに、周期ＣＳＩ動作のために設定されたとき、１つのＣＱＩテーブルのみを設定させる、例グループＢ、例Ａ〜Ｆに記載の方法。
グループＢ、例Ｊ．１つまたは複数のテーブルを選択するための情報を無線デバイスに送ることが、ポーリングされたＣＱＩ動作においてどのＣＱＩテーブルを使用すべきかを指示するＤＣＩ中のビットフィールドを送ることを含み、ＤＣＩ中の同じビットフィールドが、無線デバイスに、複数のＭＣＳテーブルのうちのどれを使用すべきかを決定させるように設定された、前の例のいずれか１つに記載の方法。
グループＢ、例Ｋ．１つまたは複数のテーブルを選択するための情報を無線デバイスに送ることが、ポーリングされたＣＱＩ動作においてどのＣＱＩテーブルを使用すべきかを指示するＤＣＩ中の第１のビットフィールドと、ネットワークノードスケジューリングのためにどのＭＣＳテーブルを使用すべきかを指示するＤＣＩ中の第２のビットフィールドとを送ることを含む、前の例のいずれか１つに記載の方法。
グループＢ、例Ｌ．ＣＱＩテーブルが第１のターゲットＢＬＥＲに対応し、ＭＣＳテーブルが第２のターゲットＢＬＥＲに対応する、前の例のいずれか１つに記載の方法。
グループＢ、例Ｍ．ＤＣＩフォーマット（たとえば、フォールバックＤＣＩまたはコンパクトＤＣＩ）を設定することをさらに含み、ＤＣＩフォーマットが、無線デバイスに、複数のターゲットＢＬＥＲから選択されるターゲットＢＬＥＲを設定することと、設定されたターゲットＢＬＥＲに対応するＭＣＳおよびＣＱＩテーブルを使用することとを行わせる、前の例のいずれか１つに記載の方法。
グループＢ、例Ｎ．
−  ユーザデータを取得することと、
−  ユーザデータをホストコンピュータまたは無線デバイスにフォワーディングすることと
をさらに含む、前の例のいずれか１つに記載の方法。
【０１４０】
グループＣの例
グループＣ、例Ａ．無線デバイスであって、無線デバイスが、
−  グループＡの例のいずれか１つに記載のステップのいずれかを実施するように設定された処理回路要素と、
−  無線デバイスに電力を供給するように設定された電力供給回路要素と
を備える、無線デバイス。
グループＣ、例Ｂ．基地局であって、基地局が、
−  グループＢの例のいずれか１つに記載のステップのいずれかを実施するように設定された処理回路要素と、
−  無線デバイスに電力を供給するように設定された電力供給回路要素と
を備える、基地局。
グループＣ、例Ｃ．ユーザ機器（ＵＥ）であって、ＵＥが、
−  無線信号を送り、受信するように設定されたアンテナと、
−  アンテナおよび処理回路要素に接続され、アンテナと処理回路要素との間で通信される信号を調節するように設定された、無線フロントエンド回路要素と、
−  グループＡの例のいずれか１つに記載のステップのいずれかを実施するように設定された処理回路要素と、
−  処理回路要素に接続され、ＵＥへの情報の入力が処理回路要素によって処理されることを可能にするように設定された、入力インターフェースと、
−  処理回路要素に接続され、処理回路要素によって処理されたＵＥからの情報を出力するように設定された、出力インターフェースと、
−  処理回路要素に接続され、ＵＥに電力を供給するように設定された、バッテリーと
を備える、ユーザ機器（ＵＥ）。
グループＣ、例Ｄ．ホストコンピュータを含む通信システムであって、ホストコンピュータが、
−  ユーザデータを提供するように設定された処理回路要素と、
−  ユーザ機器（ＵＥ）への送信のためにユーザデータをセルラーネットワークにフォワーディングするように設定された通信インターフェースと
を備え、
−  セルラーネットワークが、無線インターフェースと処理回路要素とを有する基地局を備え、基地局の処理回路要素が、グループＢの例のいずれか１つに記載のステップのいずれかを実施するように設定された、
通信システム。
グループＣ、例Ｅ．基地局をさらに含む、前の例に記載の通信システム。
グループＣ、例Ｆ．ＵＥをさらに含み、ＵＥが基地局と通信するように設定された、前の２つの例に記載の通信システム。
グループＣ、例Ｇ．
−  ホストコンピュータの処理回路要素が、ホストアプリケーションを実行し、それによりユーザデータを提供するように設定され、
−  ＵＥが、ホストアプリケーションに関連付けられたクライアントアプリケーションを実行するように設定された処理回路要素を備える、
前の３つの例に記載の通信システム。
グループＣ、例Ｈ．ホストコンピュータと、基地局と、ユーザ機器（ＵＥ）とを含む通信システムにおいて実装される方法であって、方法は、
−  ホストコンピュータにおいて、ユーザデータを提供することと、
−  ホストコンピュータにおいて、基地局を備えるセルラーネットワークを介してＵＥにユーザデータを搬送する送信を始動することであって、基地局が、グループＢの例のいずれか１つに記載のステップのいずれかを実施する、送信を始動することと
を含む、方法。
グループＣ、例Ｉ．基地局において、ユーザデータを送信することをさらに含む、前の例に記載の方法。
グループＣ、例Ｊ．ユーザデータが、ホストコンピュータにおいて、ホストアプリケーションを実行することによって提供され、方法が、ＵＥにおいて、ホストアプリケーションに関連付けられたクライアントアプリケーションを実行することをさらに含む、前の２つの例に記載の方法。
グループＣ、例Ｋ．基地局と通信するように設定されたユーザ機器（ＵＥ）であって、ＵＥが、前の３つの例を実施するように設定された、無線インターフェースと処理回路要素とを備える、ユーザ機器（ＵＥ）。
グループＣ、例Ｌ．ホストコンピュータを含む通信システムであって、ホストコンピュータが、
−  ユーザデータを提供するように設定された処理回路要素と、
−  ユーザ機器（ＵＥ）への送信のためにユーザデータをセルラーネットワークにフォワーディングするように設定された通信インターフェースと
を備え、
−  ＵＥが、無線インターフェースと処理回路要素とを備え、ＵＥの構成要素が、グループＡの例のいずれか１つに記載のステップのいずれかを実施するように設定された、
通信システム。
グループＣ、例Ｍ．セルラーネットワークが、ＵＥと通信するように設定された基地局をさらに含む、前の例に記載の通信システム。
グループＣ、例Ｎ．
−  ホストコンピュータの処理回路要素が、ホストアプリケーションを実行し、それによりユーザデータを提供するように設定され、
−  ＵＥの処理回路要素が、ホストアプリケーションに関連付けられたクライアントアプリケーションを実行するように設定された、
前の２つの例に記載の通信システム。
グループＣ、例Ｏ．ホストコンピュータと、基地局と、ユーザ機器（ＵＥ）とを含む通信システムにおいて実装される方法であって、方法が、
−  ホストコンピュータにおいて、ユーザデータを提供することと、
−  ホストコンピュータにおいて、基地局を備えるセルラーネットワークを介してＵＥにユーザデータを搬送する送信を始動することであって、ＵＥが、グループＡの例のいずれか１つに記載のステップのいずれかを実施する、送信を始動することと
を含む、方法。
グループＣ、例Ｐ．ＵＥにおいて、基地局からユーザデータを受信することをさらに含む、前の例に記載の方法。
グループＣ、例Ｑ．ホストコンピュータを含む通信システムであって、ホストコンピュータが、
−  ユーザ機器（ＵＥ）から基地局への送信から発生したユーザデータを受信するように設定された通信インターフェース
を備え、
−  ＵＥが、無線インターフェースと処理回路要素とを備え、ＵＥの処理回路要素が、グループＡの例のいずれか１つに記載のステップのいずれかを実施するように設定された、
通信システム。
グループＣ、例Ｒ．ＵＥをさらに含む、前の例に記載の通信システム。
グループＣ、例Ｓ．基地局をさらに含み、基地局が、ＵＥと通信するように設定された無線インターフェースと、ＵＥから基地局への送信によって搬送されたユーザデータをホストコンピュータにフォワーディングするように設定された通信インターフェースとを備える、前の２つの例に記載の通信システム。
グループＣ、例Ｔ．
−  ホストコンピュータの処理回路要素が、ホストアプリケーションを実行するように設定され、
−  ＵＥの処理回路要素が、ホストアプリケーションに関連付けられたクライアントアプリケーションを実行し、それによりユーザデータを提供するように設定された、
前の３つの例に記載の通信システム。
グループＣ、例Ｕ．
−  ホストコンピュータの処理回路要素が、ホストアプリケーションを実行し、それにより要求データを提供するように設定され、
−  ＵＥの処理回路要素が、ホストアプリケーションに関連付けられたクライアントアプリケーションを実行し、それにより要求データに応答してユーザデータを提供するように設定された、
前の４つの例に記載の通信システム。
グループＣ、例Ｖ．ホストコンピュータと、基地局と、ユーザ機器（ＵＥ）とを含む通信システムにおいて実装される方法であって、方法が、
−  ホストコンピュータにおいて、ＵＥから基地局に送信されたユーザデータを受信することであって、ＵＥが、グループＡの例のいずれか１つに記載のステップのいずれかを実施する、ユーザデータを受信すること
を含む、方法。
グループＣ、例Ｗ．ＵＥにおいて、基地局にユーザデータを提供することをさらに含む、前の例に記載の方法。
グループＣ、例Ｘ．
−  ＵＥにおいて、クライアントアプリケーションを実行し、それにより、送信されるべきユーザデータを提供することと、
−  ホストコンピュータにおいて、クライアントアプリケーションに関連付けられたホストアプリケーションを実行することと
をさらに含む、前の２つの例に記載の方法。
グループＣ、例Ｙ．
−  ＵＥにおいて、クライアントアプリケーションを実行することと、
−  ＵＥにおいて、クライアントアプリケーションへの入力データを受信することであって、入力データが、ホストコンピュータにおいて、クライアントアプリケーションに関連付けられたホストアプリケーションを実行することによって提供される、入力データを受信することと
をさらに含み、
−  送信されるべきユーザデータが、入力データに応答してクライアントアプリケーションによって提供される、
前の３つの例に記載の方法。
グループＣ、例Ｚ．ホストコンピュータを含む通信システムであって、ホストコンピュータが、ユーザ機器（ＵＥ）から基地局への送信から発生したユーザデータを受信するように設定された通信インターフェースを備え、基地局が、無線インターフェースと処理回路要素とを備え、基地局の処理回路要素が、グループＢの例のいずれか１つに記載のステップのいずれかを実施するように設定された、通信システム。
グループＣ、例ＡＡ．基地局をさらに含む、前の例に記載の通信システム。
グループＣ、例ＡＢ．ＵＥをさらに含み、ＵＥが基地局と通信するように設定された、前の２つの例に記載の通信システム。
グループＣ、例ＡＣ．
−  ホストコンピュータの処理回路要素が、ホストアプリケーションを実行するように設定され、
−  ＵＥが、ホストアプリケーションに関連付けられたクライアントアプリケーションを実行し、それによりホストコンピュータによって受信されるべきユーザデータを提供するように設定された、
前の３つの例に記載の通信システム。
グループＣ、例ＡＤ．ホストコンピュータと、基地局と、ユーザ機器（ＵＥ）とを含む通信システムにおいて実装される方法であって、方法は、
−  ホストコンピュータにおいて、基地局から、基地局がＵＥから受信した送信から発生したユーザデータを受信することであって、ＵＥが、グループＡの例のいずれか１つに記載のステップのいずれかを実施する、ユーザデータを受信すること
を含む、方法。
グループＣ、例ＡＥ．基地局において、ＵＥからユーザデータを受信することをさらに含む、前の例に記載の方法。
グループＣ、例ＡＦ．基地局において、ホストコンピュータへの、受信されたユーザデータの送信を始動することをさらに含む、前の２つの例に記載の方法。
【図１】
2021503852.tif 000003
【図２】
2021503852.tif 000004
【図３】
2021503852.tif 000005
【図４】
2021503852.tif 000006
【図５】
2021503852.tif 000007
【図６】
2021503852.tif 000008
【図７】
2021503852.tif 000009
【図８】
2021503852.tif 000010
【図９】
2021503852.tif 000011
【図１０】
2021503852.tif 000012
【図１１】
2021503852.tif 000013
【図１２】
2021503852.tif 000014
【図１３ａ】
2021503852.tif 000015
【図１３ｂ】
2021503852.tif 000016
【図１４】
2021503852.tif 000017
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
変調符号化方式（ＭＣＳ）を、複数のＭＣＳテーブルから決定するための無線デバイスによって実施される方法であって、前記方法が、
ターゲットブロック誤り率（ＢＬＥＲ）に対応する指示を受信すること（１２）と、
前記受信された指示に基づいて、変調符号化方式（ＭＣＳ）テーブルを、前記複数の規定されたＭＣＳテーブルから識別し（１４）、前記識別されたＭＣＳテーブルから変調符号化方式を選択することと
を含む、方法。
【請求項２】
前記指示が、高信頼性要件および／または低レイテンシ要件を伴うサービスに対応する、請求項１に記載の方法。
【請求項３】
前記指示が、
低いターゲットＢＬＥＲに対応する、請求項１または２に記載の方法。
【請求項４】
前記無線デバイスの能力を指示する情報をネットワークに送ること（１０）であって、前記指示された能力が、前記無線デバイスの少なくともターゲットＢＬＥＲ能力を含む、情報をネットワークに送ること（１０）
をさらに含む、請求項１から３のいずれか一項に記載の方法。
【請求項５】
前記能力が、サービス能力に基づいて暗黙的に指示される、請求項４に記載の方法。
【請求項６】
前記能力が、前記ネットワークへの明示的シグナリングを使用して指示される、請求項４に記載の方法。
【請求項７】
前記複数のＭＣＳテーブルのうちの第１のＭＣＳテーブルが、第１のＢＬＥＲに対応し、前記複数のＭＣＳテーブルのうちの第２のＭＣＳテーブルが、第２のＢＬＥＲに対応し、前記第１のＢＬＥＲが前記第２のＢＬＥＲとは異なる、請求項１から６のいずれか一項に記載の方法。
【請求項８】
通信サービス中に、前記識別されたＭＣＳテーブルを使用すること（１８）をさらに含む、請求項１から７のいずれか一項に記載の方法。
【請求項９】
無線デバイス（１１０）であって、
−  前記無線デバイスに電力を供給するように設定された電力供給回路要素（１３７）と、
−  処理回路要素（１２０）と
を備え、前記処理回路要素（１２０）が、
ブロック誤り率（ＢＬＥＲ）に対応する指示を受信することと、
前記受信された指示に基づいて、変調符号化方式（ＭＣＳ）テーブルを、複数の規定されたＭＣＳテーブルから識別し、前記識別されたＭＣＳテーブルから変調符号化方式を選択する
ように設定された、無線デバイス（１１０）。
【請求項１０】
前記指示が、高信頼性要件および／または低レイテンシ要件を伴うサービスに対応する、請求項９に記載の無線デバイス。
【請求項１１】
前記指示が、
低いターゲットブロック誤り率（ＢＬＥＲ）に対応する、請求項９に記載の無線デバイス。
【請求項１２】
前記処理回路要素は、
前記無線デバイスの能力を指示する情報をネットワークに送ることであって、前記指示された能力が、前記無線デバイスの少なくともターゲットＢＬＥＲ能力を含む、情報をネットワークに送る
ようにさらに設定された、請求項９から１１のいずれか一項に記載の無線デバイス。
【請求項１３】
前記能力が、サービス能力に基づいて暗黙的に指示される、請求項１２に記載の無線デバイス。
【請求項１４】
前記能力が、前記ネットワークへの明示的シグナリングを使用して指示される、請求項１２に記載の無線デバイス。
【請求項１５】
前記複数のＭＣＳテーブルのうちの第１のＭＣＳテーブルが、第１のＢＬＥＲに対応し、前記複数のＭＣＳテーブルのうちの第２のＭＣＳテーブルが、第２のＢＬＥＲに対応し、前記第１のＢＬＥＲが前記第２のＢＬＥＲとは異なる、請求項９から１４のいずれか一項に記載の無線デバイス。
【請求項１６】
通信サービス中に、前記識別されたＭＣＳおよび／またはＣＱＩテーブルを使用することをさらに含む、請求項９から１５のいずれか一項に記載の無線デバイス。
【請求項１７】
ネットワークノードによって実施される方法であって、前記方法は、
通信サービスに関連するブロック誤り率（ＢＬＥＲ）を決定すること（２２）と、
前記ＢＬＥＲに対応する指示を無線デバイスに送ること（２８）であって、前記指示は、前記無線デバイスが、変調符号化方式（ＭＣＳ）テーブルを、複数の規定されたＭＣＳテーブルから識別することを可能にする、指示を無線デバイスに送ること（２８）と
を含む、方法。
【請求項１８】
前記指示が、
低いターゲットブロック誤り率（ＢＬＥＲ）
に対応する、請求項１７に記載の方法。
【請求項１９】
前記無線デバイスの１つまたは複数の能力を決定すること（２４）と、
前記無線デバイスについて決定された前記１つまたは複数の能力に基づいて、前記指示を準備すること（２６）と
をさらに含む、請求項１７または１８に記載の方法。
【請求項２０】
前記無線デバイスの能力を指示する情報を前記無線デバイスから受信すること（２０）であって、前記指示された能力が、前記無線デバイスのターゲットＢＬＥＲ能力、ＭＣＳテーブル能力、および／またはＣＱＩテーブル能力を含む、情報を前記無線デバイスから受信すること（２０）
をさらに含む、請求項１７から１９のいずれか一項に記載の方法。
【請求項２１】
前記無線デバイスから受信された情報が、前記無線デバイスの１つまたは複数のサービス能力を指示し、前記無線デバイスのターゲットＢＬＥＲ能力、ＭＣＳテーブル能力、および／またはＣＱＩテーブル能力が、前記サービス能力に基づいて前記ネットワークノードによって決定される、請求項１９に記載の方法。
【請求項２２】
前記無線デバイスが識別されたＭＣＳテーブルを使用する、通信セッションを介して前記無線デバイスと通信すること（３０）をさらに含む、請求項１７から２１のいずれか一項に記載の方法。
【請求項２３】
ネットワークノード（１６０）であって、前記ネットワークノードが、
−  前記ネットワークノードに電力を供給するように設定された電力供給回路要素（１８７）と、
−  処理回路要素（１７０）と
を備え、前記処理回路要素（１７０）は、
通信サービスに関連するブロック誤り率（ＢＬＥＲ）を決定することと、
前記ＢＬＥＲに対応する指示を無線デバイスに送ることであって、前記指示は、前記無線デバイスが、変調符号化方式（ＭＣＳ）テーブルを、複数の規定されたＭＣＳテーブルから識別することを可能にする、指示を無線デバイスに送ることと
を行うように設定された、ネットワークノード（１６０）。
【請求項２４】
前記処理回路要素が、請求項１７から２２に記載の方法のいずれかを実施するようにさらに設定された、請求項２３に記載のネットワークノード。
【国際調査報告】
2021503852.tif 000018
2021503852.tif 000019
2021503852.tif 000020
2021503852.tif 000021